(57)【要約】      （修正有）【課題】時分割駆動とドット反転駆動の両方を採用する液晶表示装置についてデータ信号を各データ線に分配する経路上のノードの電位を反転させる回数を減少させる。【解決手段】本発明による液晶表示装置の動作方法は、（Ａ）或る水平期間において、ＬＣＤパネル１の或るラインの画素を、時分割駆動により、且つ、隣接する画素１３が逆の極性信号で駆動されるように駆動するステップを具備する。（Ａ）ステップは、（Ａ１）駆動手段の出力端子Ｓｏｕｒｃｅ１に第１極性を有する第１データ信号を生成し、前記或るラインの画素１３のうちの第１画素に電気的に接続することによって前記第１画素を駆動するステップと、（Ａ２）前記第１画素の駆動に引き続いて、第２データ信号を第１出力端子（Ｓｏｕｒｃｅ２）に生成し、更に出力端子Ｓｏｕｒｃｅ１を或るラインの前記画素のうちの第２画素に電気的に接続して前記第２画素を駆動するステップを具備する。【選択図】図６
2007140296.tif 000002
【特許請求の範囲】
【請求項１】
（Ａ）或る水平期間において、ＬＣＤパネルの或るラインの画素を、時分割駆動により、且つ、水平方向に隣接する画素が逆の極性のデータ信号で駆動されるように駆動するステップを具備し、
前記（Ａ）ステップは、
（Ａ１）駆動手段の第１出力端子に第１極性を有する第１データ信号を生成し、更に前記第１出力端子を前記或るラインの前記画素のうちの第１画素に電気的に接続することによって前記第１画素を駆動するステップと、
（Ａ２）前記第１画素の駆動に引き続いて、前記第１データ信号と同じ前記第１極性を有する第２データ信号を前記第１出力端子に生成し、更に前記第１出力端子を前記或るラインの前記画素のうちの第２画素に電気的に接続することによって前記第２画素を駆動するステップ
とを具備する
液晶表示装置の動作方法。
【請求項２】
請求項１に記載の液晶表示装置の動作方法であって、
前記（Ａ）ステップは、更に、
（Ａ３）前記第１画素の駆動と同じタイミングにおいて、前記駆動手段の第２出力端子に前記第１極性と逆の第２極性を有する第３データ信号を生成し、更に前記第２出力端子を前記或るラインの前記画素のうちの第３画素に電気的に接続することによって前記第３画素を駆動するステップと、
（Ａ４）前記第２画素の駆動と同じタイミングにおいて、前記第３データ信号と同じ前記第２極性を有する第４データ信号を前記第２出力端子に生成し、更に前記第２出力端子を前記或るラインの前記画素のうちの第４画素に電気的に接続することによって前記第４画素を駆動するステップ
とを具備する
液晶表示装置の動作方法。
【請求項３】
請求項１に記載の液晶表示装置の動作方法であって、
前記（Ａ）ステップは、更に、
（Ａ３）前記第２画素の駆動に引き続いて、前記第１出力端子に第５データ信号を生成し、更に前記第１出力端子を前記或るラインの前記画素のうちの第５画素に電気的に接続することによって前記第５画素を駆動するステップ
を具備し、
前記第２画素と前記第５画素は、同一の色を表示するために使用される画素である
液晶表示装置の動作方法。
【請求項４】
請求項１に記載の液晶表示装置の動作方法であって、
前記駆動ステップは、更に、
（Ａ４）前記第１出力端子に第６データ信号を生成し、更に前記第１出力端子を前記或るラインの前記画素のうちの第６画素に電気的に接続することによって前記第６画素を駆動するステップ
を具備し、
前記第１画素の駆動は、前記第６画素の駆動に引き続いて行われ、
前記第１画素と前記第６画素は、同一の色を表示するために使用される画素である
液晶表示装置の動作方法。
【請求項５】
請求項１に記載の液晶表示装置の動作方法であって、
前記（Ａ）ステップは、更に、
（Ａ５）前記或る水平期間の最後の期間において、前記第１極性と逆の第２極性を有する第７データ信号を前記第１出力端子に生成し、更に前記第１出力端子を前記或るラインの前記画素のうちの第７画素に電気的に接続することによって前記第７画素を駆動するステップ
を具備し、
当該液晶表示装置の動作方法は、更に、
（Ｂ）前記或る水平期間に続く次水平期間において、前記或るラインに隣接する次ラインの画素を、時分割駆動により、且つ、隣接する画素が逆の極性のデータ信号で駆動されるように駆動するステップを具備し、
前記（Ｂ）ステップは、
（Ｂ１）前記次水平期間の最初の期間において、前記第１出力端子に前記第２極性を有する第８データ信号を生成し、更に前記第１出力端子を前記次ラインの前記画素のうちの第８画素に電気的に接続することによって前記第８画素を駆動するステップ
を備える
液晶表示装置の動作方法。
【請求項６】
請求項２に記載の液晶表示装置の動作方法であって、
更に、
（Ｂ）前記或る水平期間に続く次水平期間において、前記或るラインに隣接する次ラインの画素を、時分割駆動により、且つ、隣接する画素が逆の極性のデータ信号で駆動されるように駆動するステップを具備し、
前記ＬＣＤパネルは、
前記第１乃至第４画素それぞれに接続された第１乃至第４データ線と、
前記第１出力端子を前記第１乃至第４データ線のいずれにも電気的に接続可能であり、且つ、前記第２出力端子を前記第１乃至第４データ線のいずれにも電気的に接続可能であるように構成されたスイッチ回路
とを具備し、
前記（Ｂ）ステップは、
（Ｂ１）前記第１出力端子に第１極性を有する第９データ信号を生成し、更に前記第１出力端子を前記或るラインの前記画素のうちの第９画素に電気的に接続することによって前記第１画素を駆動するステップと、
とを具備し、
前記第１画素の駆動では、前記スイッチ回路及び前記第１データ線を介して前記第１出力端子から前記第１画素に前記第１データ信号が供給され、
前記第３画素の駆動では、前記スイッチ回路及び前記第３データ線を介して前記第２出力端子から前記第３画素に前記第３データ信号が供給され、
前記第９画素の駆動では、前記スイッチ回路及び前記第３データ線を介して前記第１出力端子から前記第９画素に前記第９データ信号が供給される
液晶表示装置の動作方法。
【請求項７】
請求項１に記載の液晶表示装置の動作方法であって、
前記（Ａ）ステップは、
（Ａ６）  前記第１画素の駆動の前に、前記第２データ信号と同じ信号レベルのデータ信号を前記第１出力端子に生成し、更に前記第１出力端子を前記第２画素に電気的に接続することによって前記第２画素を駆動するステップ
とを具備する
液晶表示装置の動作方法。
【請求項８】
請求項７に記載の液晶表示装置の動作方法であって、
前記第１画素の駆動は、前記（Ａ６）ステップにおける前記第２画素の駆動に引き続いて行われる
液晶表示装置の動作方法。
【請求項９】
（Ａ）或る水平期間において、ＬＣＤパネルの或るラインに配置された複数の画素を、時分割駆動により、且つ、隣接する画素が逆の極性のデータ信号で駆動されるように駆動するステップを具備し、
前記（Ａ）ステップは、
（Ａ１）駆動手段の第１出力端子に第１極性を有する第１データ信号を生成し、更に前記第１出力端子を前記複数の画素のうちの第１画素に電気的に接続することによって前記第１画素を駆動するステップと、
（Ａ２）前記第１画素の駆動に引き続いて、前記第１出力端子に前記第１極性と異なる第２極性を有する第２データ信号を生成し、更に前記第１出力端子を前記複数の画素のうちの前記第１画素と同一の第１色を表示するために使用される第２画素に電気的に接続することによって前記第２画素を駆動するステップと、
（Ａ３）前記第２画素の駆動に引き続いて、前記第１出力端子に前記第２極性を有する第３データ信号を生成し、更に前記第１出力端子を前記複数の画素のうちの第２色を表示するために使用される第３画素に電気的に接続することによって前記第３画素を駆動するステップ
とを具備する
液晶表示装置の動作方法。
【請求項１０】
請求項９に記載の液晶表示装置の動作方法であって、
前記（Ａ）ステップは、更に、
（Ａ４）前記第３画素の駆動に引き続いて、前記第１出力端子に前記第１極性を有する第４データ信号を生成し、更に前記第４出力端子を前記複数の画素のうちの前記第２色を表示するために使用される第４画素に電気的に接続することによって前記第４画素を駆動するステップと、
（Ａ５）前記第４画素の駆動に引き続いて、前記第１出力端子に前記第１極性を有する第５データ信号を生成し、更に前記第１出力端子を前記複数の画素のうちの第３色を表示するために使用される第５画素に電気的に接続することによって前記第５画素を駆動するステップと、
（Ａ６）前記第５画素の駆動に引き続いて、前記第１出力端子に前記第２極性を有する第６データ信号を生成し、更に前記第１出力端子を前記複数の画素のうちの前記第３色を表示するために使用される第６画素に電気的に接続することによって前記第６画素を駆動するステップ
とを具備する
液晶表示装置の動作方法。
【請求項１１】
請求項９に記載の液晶表示装置の動作方法であって、
前記（Ａ）ステップは、更に、
（Ａ４）前記第１画素の駆動と同じタイミングにおいて、前記駆動手段の第２出力端子に前記第２極性を有する第７データ信号を生成し、更に前記第２出力端子を前記複数の画素のうちの前記第１色を表示するために使用される第７画素に電気的に接続することによって前記第７画素を駆動するステップと、
（Ａ５）前記第２画素の駆動と同じタイミングにおいて、前記第２出力端子に前記第１極性を有する第８データ信号を生成し、更に前記第１出力端子を前記複数の画素のうちの前記第１色を表示するために使用される第８画素に電気的に接続することによって前記第８画素を駆動するステップと、
（Ａ６）前記第３画素の駆動と同じタイミングにおいて、前記第２出力端子に前記第１極性を有する第９データ信号を生成し、更に前記第２出力端子を前記複数の画素のうちの前記第２色を表示するために使用される第９画素に電気的に接続することによって前記第９画素を駆動するステップ
とを具備する
液晶表示装置の動作方法。
【請求項１２】
行列に配置された画素と、
空間的にこの順に並べられた第１、第２、・・・第ｎデータ線と、
駆動手段と、
前記駆動手段の第１出力端子と、前記第１、第２、・・・第ｎデータ線のうちの奇数番目のデータ線との間に接続された前記第１スイッチ回路と、
前記駆動手段の第２出力端子と、前記前記第１、第２、・・・第ｎデータ線のうちの偶数番目のデータ線との間に接続された前記第２スイッチ回路
とを備える液晶表示装置の動作方法であって、
（Ａ）或る水平期間において、前記行列に配置された画素のうちの前記奇数番目のデータ線に接続された画素である奇数番目画素を時分割駆動によって駆動し、前記行列に配置された画素のうちの前記偶数番目のデータ線に接続された画素である偶数番目画素を、時分割駆動により駆動するステップ
を具備し、
前記奇数番目画素の全ては、前記或る水平期間において、第１極性を有するデータ信号を前記第１出力端子から受け取って駆動され、
前記偶数番目画素の全ては、前記或る水平期間において、前記第１極性と逆の第２極性を有するデータ信号を前記第２出力端子から受け取って駆動される
液晶表示装置の動作方法。
【請求項１３】
請求項１２に記載の液晶表示装置の動作方法であって、
前記或る水平期間において、前記第１〜第ｎデータ線のうちの第ｉデータ線に接続された画素は、前記第ｉデータ線に隣接する第（ｉ＋１）データ線に接続されている画素と同時に駆動される
液晶表示装置の動作方法。
【請求項１４】
請求項１３に記載の液晶表示装置の動作方法であって、
前記或る水平期間において、前記第（ｉ＋３）データ線に接続された画素は、前記第（ｉ＋３）データ線に隣接する前記第（ｉ＋４）データ線に接続された画素と同時に駆動され、
前記第（ｉ＋１）データ線と前記第（ｉ＋３）データ線の間に位置する第（ｉ＋２）データ線に接続された画素は、前記第ｉデータ線、前記第（ｉ＋１）データ線、前記第（ｉ＋３）データ線、及び前記第（ｉ＋４）データ線に接続された画素よりも後に駆動される
液晶表示装置の動作方法。
【請求項１５】
行列に配置された画素と、
前記画素のそれぞれに供給されるデータ信号を生成する駆動手段と、
前記駆動手段の複数の出力端子と前記画素との間の接続関係を切り替えるスイッチ回路
とを具備し、
前記駆動手段は、前記行列に配置された画素のうちの或るラインの画素が時分割駆動により、且つ、水平方向に隣接する画素が逆の極性のデータ信号で駆動されるように前記スイッチ回路を制御し、
前記駆動手段は、前記複数の出力端子のうちの第１出力端子に第１極性を有する第１データ信号を生成し、更に前記第１出力端子が前記或るラインの前記画素のうちの第１画素に電気的に接続されるように前記スイッチ回路を制御して前記第１画素を駆動し、前記第１画素の駆動に引き続いて、前記第１データ信号と同じ前記第１極性を有する第２データ信号を前記第１出力端子に生成し、更に前記第１出力端子を前記或るラインの前記画素のうちの第２画素に電気的に接続するように前記スイッチ回路を制御して前記第２画素を駆動する
液晶表示装置。
【請求項１６】
請求項１５に記載の液晶表示装置であって、
前記駆動手段は、前記第１画素の駆動と同じタイミングにおいて、前記複数の出力端子のうちの第２出力端子に前記第１極性と逆の第２極性を有する第３データ信号を生成し、更に前記第２出力端子を前記或るラインの前記画素のうちの第３画素に電気的に接続するように前記スイッチ回路を制御して前記第３画素を駆動し、且つ、
前記駆動手段は、前記第２画素の駆動と同じタイミングにおいて、前記第３データ信号と同じ前記第２極性を有する第４データ信号を前記第２出力端子に生成し、更に前記第２出力端子を前記或るラインの前記画素のうちの第４画素に電気的に接続することによって前記第４画素を駆動する
液晶表示装置。
【請求項１７】
請求項１５に記載の液晶表示装置であって、
前記駆動手段は、前記第２画素の駆動に引き続いて、前記第１出力端子に第５データ信号を生成し、更に前記第１出力端子を前記或るラインの前記画素のうちの第５画素に電気的に接続されるように前記スイッチ回路を制御して前記第５画素を駆動し、
前記第２画素と前記第５画素は、同一の色を表示するために使用される画素である
液晶表示装置。
【請求項１８】
空間的にこの順番に配置された第１、第２、・・・第２ｎデータ線と（ｎは自然数）、
前記第１〜第２ｎデータ線に接続された画素と、
第１入力ノードと、
第２入力ノードと、
複数のスイッチ
とを具備し、
前記複数のスイッチのうちの第１、第３、・・・第２ｎ−１スイッチは、それぞれ、前記第１入力ノードと前記第１、第３、・・・第２ｎ−１データ線との間に接続され、
前記複数のスイッチのうちの第２、第４、・・・第２ｎスイッチは、それぞれ、前記第１入力ノードと前記第２、第４、・・・第２ｎデータ線との間に接続されている
ＬＣＤパネル。
【請求項１９】
請求項１８に記載のＬＣＤパネルであって、
前記複数のスイッチのうち、前記第１〜第２ｎデータ線のうちの第ｉデータ線及び第（ｉ＋１）データ線に接続された一対のスイッチは、前記一対のスイッチを制御するための制御信号を供給する配線に共通に接続された
ＬＣＤパネル。
【請求項２０】
請求項１８に記載のＬＣＤパネルであって、
前記複数のスイッチのうち、前記第１〜第２ｎデータ線のうちの第ｉデータ線及び第（ｉ＋１）データ線に接続された第１の対のスイッチは、前記第１の対のスイッチを制御するための第１制御信号を供給する第１配線に共通に接続され、
前記複数のスイッチのうち、前記第１〜第２ｎデータ線のうちの第ｉ＋３データ線及び第（ｉ＋４）データ線に接続された第２の対のスイッチは、前記第２の対のスイッチを制御するための第２制御信号を供給する第２配線に共通に接続され、
前記複数のスイッチのうち、第ｉ＋２データ線に接続された第（ｉ＋２）スイッチは、前記第（ｉ＋２）スイッチを制御するための第３制御信号を供給する第３配線に接続された
ＬＣＤパネル。
【発明の詳細な説明】
【技術分野】
【０００１】
本発明は、液晶パネル駆動方法、及び液晶表示装置に関し、特に、時分割駆動と反転駆動との両方を採用する液晶パネル駆動技術に関する。
【背景技術】
【０００２】
複数のデータ線（信号線）を逐次に選択することによって画素にデータ信号の書き込みを時分割的に行う時分割駆動は、液晶表示装置の駆動において広く使用される技術の一つである（例えば、特開平１１−３２７５１８号公報、及び特開２００３−２１５５４０参照）。かかる時分割駆動の利点の一つは、液晶ドライバに設けられる出力アンプの数を減少できることである。時分割駆動を採用する液晶表示装置では、液晶パネルのデータ線の数よりも少ない数の出力アンプで、画素を駆動することができる。これは、液晶ドライバの消費電力及びチップ面積の低減に有効である。もう一つの利点は、データ線を選択するスイッチを液晶パネルに設ける構成を採用することにより、液晶ドライバと液晶パネルとを接続する配線の数を減少できることである。データ線を選択するスイッチを液晶パネルに設けることにより、液晶ドライバと液晶パネルとを接続するために必要な配線の数は、液晶パネルのデータ線よりも少なくすることができる。液晶ドライバと液晶パネルとを接続する配線の数の減少は、液晶ドライバと液晶パネルとの接続を容易にし、且つ、ＥＭＩ（electromagnetic interference）の減少に有効である。液晶パネルに設けられる画素数の増加を背景として、時分割的に駆動される複数のデータ線の数は、一層に増加されることが望まれている。
【０００３】
液晶表示装置の駆動において広く使用されるもう一つの技術は、反転駆動である。反転駆動とは、いわゆる焼き付き現象を防止するために、データ信号の極性を所定の空間的周期及び時間的周期で反転する駆動方法である。反転駆動は、画素の液晶容量に印加される電圧の直流成分を減少させ、焼き付き現象の発生を有効に防止する。
【０００４】
反転駆動には、概略的には、コモン一定駆動法とコモン反転駆動法の２種類がある。コモン一定駆動法とは、画素のコモン電極（対向電極）の電位（以下、「共通電位ＶＣＯＭ」という。）を一定に保ち、データ信号のみの極性を反転する駆動法である。一方、コモン反転駆動法とは、データ信号と共通電位の両方を反転する駆動法である。コモン一定駆動法は、コモン反転駆動法と比較してコモン電極の安定性に優れている、という利点を有している。当業者に広く知られているように、コモン電極の安定性はフリッカの発生の抑制の点で重要である。以下に述べられるように、本発明はコモン一定駆動法に関連している。
【０００５】
ドット反転駆動は、コモン一定駆動法の一種であり、隣接する２つの画素に反対の極性のデータ信号を書き込む技術である。本明細書では、データ信号の極性は、共通電位ＶＣＯＭ（即ち、コモン電極の電位）を基準として決定されることに留意されたい。あるデータ信号が共通電位ＶＣＯＭよりも高い信号レベルを有する場合、そのデータ信号の極性は、「正」であると定義される。逆に、あるデータ信号が共通電位ＶＣＯＭよりも低い信号レベルを有する場合、そのデータ信号の極性は、「負」であると定義される。ドット反転駆動の利点は、正極性のデータ信号と負極性のデータ信号とを同時に液晶パネルに供給することによってコモン電極の安定性を一層に改善し、これによってフリッカの発生を一層に抑制することができる点にある。
【０００６】
図１Ａは、時分割駆動とドット反転駆動との両方を採用する液晶表示装置１００の典型的な構成を示す回路図である；時分割駆動とドット反転駆動との両方を採用する液晶表示装置は、例えば、上述の特開平１１−３２７５１８号公報に開示されている。液晶表示装置１００は、ＬＣＤ（liquid crystal display）パネル１０１とＬＣＤドライバ１０２とを備えている。ＬＣＤパネル１０１には、ゲート線（走査線）１１１と、データ線（信号線）１１２と、行列に並べられた画素１１３とが設けられている。ゲート線１１１は、画素１１３の行を選択する為に使用される。図１には、ＬＣＤパネル１０１の一部のみが図示されており、従って、ＬＣＤパネル１０１は、図示されているより多くのゲート線１１１、データ線１１２、画素１１３を有していると理解されなくてはならない。ゲート線１１１ｉに接続されている画素１１３は、以下、第ｉラインの画素１１３と呼ばれることがある。図１Ｂに示されているように、画素１１３のそれぞれは、ＴＦＴ１１４と画素電極１１５とを備えている。画素電極１１５はコモン電極（対向電極）１１６に対向しており、画素電極１１５とコモン電極１１６との間に液晶容量が形成されている。図１Ｂでは、コモン電極１１６が各画素１１３において別々に図示されているが、当業者に周知であるように、コモン電極１１６は、単一の大きな電極である。
【０００７】
図１Ａに戻り、ＬＣＤパネル１０１には、更に、３本のデータ線１１２あたりに一つの入力ノード１１７が設けられている。奇数番目に位置する入力ノード１１７は、以下、奇数入力ノード１１７Ｏと記載されることがあり、偶数番目に位置する入力ノード１１７は、以下、偶数入力ノード１１７Ｅと記載されることがある。
【０００８】
以下において、ある入力ノード１１７に（スイッチを介して）接続されているデータ線１１２は、当該入力ノード１１７に「対応する」データ線１１２と記載されることがある。図１Ａの液晶表示装置では、一の入力ノード１１７に「対応する」３本のデータ線１１２が、時分割的に駆動される。
【０００９】
同様に、ある入力ノード１１７に（データ線１１２を介して）接続されている画素１１３は、当該入力ノード１１７に「対応する」画素１１３と記載されることがある。図１Ａの液晶表示装置では、同一のゲート線１１１に接続され、且つ、同一の入力ノード１１７に「対応する」画素１１３が時分割的に駆動される。
【００１０】
図１Ａに戻り、画素１１３には、赤（Ｒ）を表示するために使用される画素（Ｒ画素）と、緑（Ｇ）を表示するために使用される画素（Ｇ画素）と、Ｂ（青）を表示するために使用される画素（Ｂ画素）の３種類がある。奇数入力ノード１１７Ｏに対応するＲ画素は、以下、Ｒ画素１１３Ｒ１と記載し、偶数入力ノード１１７Ｅに対応するＲ画素は、以下、Ｒ画素１１３Ｒ２と記載することがある。同様に、奇数入力ノード１１７Ｏに対応するＧ画素は、以下、Ｇ画素１１３Ｇ１と記載し、偶数入力ノード１１７Ｅに対応するＧ画素は、以下、Ｇ画素１１３Ｇ２と記載することがある。更に、奇数入力ノード１１７Ｏに対応するＢ画素は、以下、Ｂ画素１１３Ｂ１と記載し、偶数入力ノード１１７に対応するＢ画素は、以下、Ｂ画素１１３Ｂ２と記載することがある。
【００１１】
各データ線１１２に接続されている画素１１３は、同一の色に対応している。以下では、Ｒ画素１１３Ｒ１、１１３Ｒ２に接続されているデータ線をそれぞれ、データ線１１２Ｒ１、データ線１１２Ｒ２と記載することがある。同様に、Ｇ画素１１３Ｇ１、１１３Ｇ２に接続されているデータ線をそれぞれ、データ線１１２Ｇ１、データ線１１２Ｇ２と記載し、Ｂ画素１１３Ｂ１、１１３Ｂ２に接続されているデータ線をそれぞれ、データ線１１２Ｂ１、データ線１１２Ｂ２と記載することがある。
【００１２】
データ線１１２Ｒ１、１１２Ｇ１、１１２Ｂ１は、それぞれ、スイッチ１１９Ｒ１、１１９Ｇ１、１１９Ｂ１を介して対応する奇数入力ノード１１７Ｏに接続され、データ線１１２Ｒ２、１１２Ｇ２、１１２Ｂ２は、それぞれ、スイッチ１１９Ｒ２、１１９Ｇ２、１１９Ｂ２を介して対応する偶数入力ノード１１７Ｅに接続される。スイッチ１１９Ｒ１、１１９Ｇ１、１１９Ｂ１、１１９Ｒ２、１１９Ｇ２、１１９Ｂ２は、ＬＣＤドライバ１０２から供給される制御信号ＲＳＷ、ＧＳＷ、ＢＳＷに応答してオンオフする。スイッチ１１９のうちの所望のスイッチがターンオンされることにより、所望のデータ線１１２が選択される。
【００１３】
液晶パネル１０１の入力ノード１１７は、それぞれ、ＬＣＤドライバ１０２の出力端子に接続されている。各入力ノード１１７に接続されているＬＣＤドライバ１０２の出力端子は、順に、Ｓｏｕｒｃｅ１、Ｓｏｕｒｃｅ２、・・・と記載されることがある。
【００１４】
ＬＣＤドライバ１０２は、所望の信号レベルを有するデータ信号を、選択画素、即ち、選択されたデータ線１１２に接続され、且つ、選択されたゲート線１１１に接続された画素１１３に書き込む。画素１１３は、書き込まれたデータ信号の信号レベルに対応する階調に設定される。
【００１５】
ＬＣＤドライバ１０２が各出力端子に生成するデータ信号の極性は、ドット反転駆動及び時分割駆動に対応するように決定される必要がある。図２に示されているように、ドット反転駆動では、水平方向及び垂直方向に隣接する２つの画素１１３に互いに異なる極性のデータ信号が印加される；ここで水平方向とはゲート線（走査線）が延設される方向を意味しており、垂直方向とはデータ線（信号線）が延設される方向を意味していることに留意されたい。図２において、記号”Ｒ１”、”Ｇ１”、”Ｂ１”、”Ｒ２”、”Ｇ２”、”Ｂ２”は、それぞれ、Ｒ画素１１３Ｒ１、Ｇ画素１１３Ｇ１、Ｂ画素１１３Ｂ１、Ｒ画素１１３Ｒ２、Ｇ画素１１３Ｇ１、Ｂ画素１１３Ｂ２に対応していることに留意されたい。図１Ａを再度に参照して、例えば、第１ラインの画素１１２については、Ｒ画素１１３Ｒ１、Ｂ画素１１３Ｂ１、Ｇ画素１１３Ｇ２には、正の極性のデータ信号が供給され、Ｇ画素１１３Ｇ１、Ｒ画素１１３Ｒ２、Ｂ画素１１３Ｂ２には、負の極性のデータ信号が供給される。図１Ａでは、第１ラインの画素１１３に印加されるデータ信号の極性が、データ線１１２に重ねられた記号”＋”、”−”によって示されている。
【００１６】
その一方で、時分割駆動を行うために、同一の入力ノード１１７に対応する３本のデータ線１１２は、ある一水平期間において端から順に選択される。言い換えれば、図３に示されているように、同一のゲート線１１１に接続されている画素１１３は、Ｒ画素、Ｇ画素、Ｂ画素の順に駆動される。このような順番で画素１１３を駆動するためには、図４に示されているように、制御信号ＲＳＷ、ＧＳＷ、ＢＳＷを、この順番で活性化すればよい。
【００１７】
画素１１３を駆動する順番、及びそれらに供給されるべきデータ極性の極性を考慮すると、ＬＣＤドライバ１０２の出力端子Ｓｏｕｒｃｅ１、Ｓｏｕｒｃｅ２から順次に出力されるデータ信号は、図５に示されているような極性を有している必要がある。即ち、第１水平期間（即ち、第１ラインの画素１１３を駆動する期間）では、出力端子Ｓｏｕｒｃｅ１からは、正の極性、負の極性、正の極性のデータ信号が順に出力され、出力端子Ｓｏｕｒｃｅ２からは、負の極性、正の極性、負の極性のデータ信号が順に出力される。第２水平期間では、出力端子Ｓｏｕｒｃｅ１からは、負の極性、正の極性、負の極性のデータ信号が順に出力される必要があり、出力端子Ｓｏｕｒｃｅ２からは、正の極性、負の極性、正の極性のデータ信号が順に出力される必要がある。
【００１８】
ＬＣＤドライバ１０２の出力端子Ｓｏｕｒｃｅ１、Ｓｏｕｒｃｅ２に生成されるデータ信号の極性が、常に相補である、即ち、正の極性のデータ信号と負の極性のデータ信号とが、同時に選択された画素１１３に書き込まれることに留意されたい。これは、コモン電極の電位の変動を抑制するために重要である。
【特許文献１】特開平１１−３２７５１８号公報
【特許文献２】特開２００３−２１５５４０号公報
【発明の開示】
【発明が解決しようとする課題】
【００１９】
このような液晶表示装置の一つの問題点は、データ信号を各データ線に分配する経路上のノード（例えば、ＬＣＤドライバ１０２の出力端子）の電位を頻繁に反転させる必要があることである。例えば、図２に図示されている動作では、ＬＣＤドライバ１０２の出力端子に生成されるデータ信号の極性を、１水平期間あたりに３回反転させる必要がある。ＬＣＤドライバ１０２の出力端子は、相当な負荷容量を有しているため、データ信号の極性を頻繁に反転させることは、ＬＣＤドライバ１０２の消費電力の増大を招き好ましくない。
【００２０】
一方で、特開２００３−２１５５４０号公報は、時分割駆動を採用しながら、ＬＣＤドライバから出力される映像信号（データ信号）の極性が反転される頻度を、２水平期間あたりに１回に抑制するための技術を開示している。しかしながら、この公報に開示された技術では、各画素１１２に印加される映像信号が反転される空間的周期が水平方向に２画素である。言い換えれば、当該公報は、ドット反転駆動を実現するものではない。
【００２１】
このように、従来技術には、時分割駆動とドット反転駆動の両方を採用するとデータ信号を各データ線に分配する経路上のノードの電位を頻繁に反転させる必要が生じ、ＬＣＤドライバの消費電力が増大する、という問題点がある。
【課題を解決するための手段】
【００２２】
上記の課題を解決するために、本発明は、以下に述べられる手段を採用する。その手段を構成する技術的事項の記述には、［特許請求の範囲］の記載と［発明を実施するための最良の形態］の記載との対応関係を明らかにするために、［発明を実施するための最良の形態］で使用される番号・符号が付加されている。但し、付加された番号・符号は、［特許請求の範囲］に記載されている発明の技術的範囲を限定的に解釈するために用いてはならない。
【００２３】
本発明による液晶表示装置の動作方法は、
（Ａ）或る水平期間において、ＬＣＤパネル（２、２Ａ〜２Ｅ）の或るラインの画素を、時分割駆動により、且つ、水平方向に隣接する画素（１３）が逆の極性のデータ信号で駆動されるように駆動するステップを具備する。
前記（Ａ）ステップは、
（Ａ１）駆動手段の第１出力端子（Ｓｏｕｒｃｅ１）に第１極性を有する第１データ信号を生成し、更に前記第１出力端子（Ｓｏｕｒｃｅ１）を前記或るラインの画素（１３）のうちの第１画素に電気的に接続することによって前記第１画素を駆動するステップと、
（Ａ２）前記第１画素の駆動に引き続いて、前記第１データ信号と同じ前記第１極性を有する第２データ信号を前記第１出力端子（Ｓｏｕｒｃｅ１）に生成し、更に前記第１出力端子（Ｓｏｕｒｃｅ１）を前記或るラインの前記画素のうちの第２画素に電気的に接続することによって前記第２画素を駆動するステップ
とを具備する。
【００２４】
このような液晶表示装置の動作方法によれば、第１画素が駆動された後、第２画素を駆動する際に、駆動手段の第１出力端子（Ｓｏｕｒｃｅ１）の電位を反転する必要がなくなる。従って、当該液晶表示装置の消費電力を有効に低減させることができる
【発明の効果】
【００２５】
本発明によれば、時分割駆動とドット反転駆動の両方を採用する液晶表示装置についてデータ信号を各データ線に分配する経路上のノードの電位を反転させる回数を減少させ、これにより、当該液晶表示装置の消費電力を低減させることができる。
【発明を実施するための最良の形態】
【００２６】
第１の実施形態：
（第１の実施形態に係る液晶表示装置の構成）
図６は、本発明の第１の実施形態に係る液晶表示装置の構成を示すブロック図である。第１の実施形態に係る液晶表示装置は、ＬＣＤパネル１とＬＣＤドライバ２とを備えている。
【００２７】
ＬＣＤパネル１の構成は、図１Ａに図示されたＬＣＤパネル１０１と同様である。ＬＣＤパネル１は、ゲート線１１と、データ線１２と、行列に並べられた画素１３とが設けられている。各画素１３の構成は、図１Ｂに示されているとおりである。ＬＣＤパネル１には、３本のデータ線１２あたりに一つの入力ノード１７が設けられている。
【００２８】
図６に戻り、画素１３には、赤（Ｒ）を表示するために使用されるＲ画素１３Ｒ１、１３Ｒ２と、緑（Ｇ）を表示するために使用されるＧ画素１３Ｇ１、１３Ｇ２と、Ｂ（青）を表示するために使用されるＢ画素１３Ｂ１、１３Ｂ２の３種類がある。ここで、Ｒ画素１３Ｒ１、Ｇ画素１３Ｇ１、Ｂ画素１３Ｂ１は、それぞれ、奇数入力ノード１７Ｏに対応するＲ画素、Ｇ画素、Ｂ画素であり、Ｒ画素１３Ｒ２、Ｇ画素１３Ｇ２、Ｂ画素１３Ｂ２は、それぞれ、偶数入力ノード１７Ｅに対応するＲ画素、Ｇ画素、Ｂ画素である。
【００２９】
各データ線１２に接続されている画素１３は、同一の色に対応している。以下では、Ｒ画素１３Ｒ１、１３Ｒ２に接続されているデータ線は、それぞれ、データ線１２Ｒ１、データ線１２Ｒ２と記載することがある。同様に、Ｇ画素１３Ｇ１、１３Ｇ２に接続されているデータ線をそれぞれ、データ線１２Ｇ１、データ線１２Ｇ２と記載し、Ｂ画素１３Ｂ１、１３Ｂ２に接続されているデータ線をそれぞれ、データ線１２Ｂ１、データ線１２Ｂ２と記載することがある。
【００３０】
データ線１２Ｒ１、１２Ｇ１、１２Ｂ１は、それぞれ、スイッチ１９Ｒ１、１９Ｇ１、１９Ｂ１を介して対応する奇数入力ノード１７Ｏに接続され、データ線１２Ｒ２、１２Ｇ２、１２Ｂ２は、それぞれ、スイッチ１９Ｒ２、１９Ｇ２、１９Ｂ２を介して対応する偶数入力ノード１１７Ｅに接続される。これらのスイッチ１９は、ＬＣＤドライバ２から供給される制御信号ＲＳＷ、ＧＳＷ、ＢＳＷに応答してオンオフする。具体的には、スイッチ１９Ｒ１、１９Ｒ２は、制御信号ＲＳＷに応答して動作し、スイッチ１９Ｇ１、１９Ｇ２は、制御信号ＧＳＷに応答して動作し、スイッチ１９Ｂ１、１９Ｂ２は、制御信号ＢＳＷに応答して動作する。スイッチ１９のうちの所望のスイッチがターンオンされることにより、所望のデータ線１２が選択される。
【００３１】
液晶パネル１の入力ノード１７は、それぞれ、ＬＣＤドライバ２の出力端子に接続されている。各入力ノード１７に接続されているＬＣＤドライバ２の出力端子は、順に、Ｓｏｕｒｃｅ１、Ｓｏｕｒｃｅ２、・・・と記載されることがある。また、奇数番目の出力端子Ｓｏｕｒｃｅ１、Ｓｏｕｒｃｅ３、・・・は、奇数出力端子と呼ばれることがあり、偶数番目の出力端子Ｓｏｕｒｃｅ２、Ｓｏｕｒｃｅ４、・・・は、偶数出力端子と呼ばれることがある。
【００３２】
図７は、ＬＣＤドライバ２の構成を示すブロック図である。液晶ドライバ２は、データ制御回路２１と、階調生成回路２２と、正極性ドライバ部２３と、負極性ドライバ部２４と、極性切り替えスイッチ群２５と、セレクタ制御回路２６と、極性切り替えスイッチ制御回路２７と、ＲＧＢスイッチ制御回路２８と、タイミングコントロール回路２９とを備えている。
【００３３】
データ制御回路２１は、各画素１３の画素データを、画素１３に供給されるべきデータ信号の極性に応じて正極性ドライバ部２３又は負極性ドライバ部２４に転送する回路である。データ制御回路２１には、選択されたラインの画素１３の階調を示す画素データが供給される。データ制御回路２１は、供給された画素データのうち、正の極性のデータ信号で駆動されるべき画素の画素データを正極側駆動回路２３に、負の極性のデータ信号で駆動されるべき画素の画素データを負極側駆動回路２４に転送する。
【００３４】
階調生成回路２２は、画素がとり得る全ての階調レベルに対応する階調電圧を、正極性ドライバ部２３と負極性ドライバ部２４とに供給する回路である。階調電圧生成回路２２は、極性が正である階調電圧を正極性ドライバ部２３に供給し、極性が負である階調電圧を負極性ドライバ部２４に供給する。階調電圧生成回路２２が正極性ドライバ部２３に供給する階調電圧の数、及び、階調電圧生成回路２２が負極性ドライバ部２４に供給する階調電圧の数は、いずれも、画素がとり得る階調レベルの数と同数である。画素がとり得る階調レベルの数が６４である場合、階調電圧生成回路２２は、互いに異なる６４の正極性の階調電圧を正極性ドライバ部２３に供給し、互いに異なる６４の負極性の階調電圧を負極性ドライバ部２４に供給する。
【００３５】
正極性ドライバ部２３は、それに供給される画素データに応答して正極性のデータ信号を生成する回路系であり、負極性ドライバ部２４は、それに供給される画素データに応答して負極性のデータ信号を生成する回路系である。正極性ドライバ部２３及び負極性ドライバ部２４は、ＬＣＤドライバ２の２つの出力端子あたりに、（即ち、ＬＣＤパネル１の２つの入力ノード１７あたりに）一つずつ設けられている。一の水平期間において一の入力ノード１７に対応するデータ線１２が逐次に選択されることに対応して、正極性ドライバ部２３、負極性ドライバ部２４のそれぞれは、一の水平期間において３つの画素１３を駆動する。正極性ドライバ部２３は、階調生成回路２２から供給される正の階調電圧を使用して正極性のデータ信号を生成し、負極性ドライバ部２４は、階調生成回路２２から供給される負の階調電圧を使用して負極性のデータ信号を生成する。
【００３６】
詳細には、正極性ドライバ部２３は、ラッチ回路２３ａと、データセレクタ回路２３ｂと、Ｄ／Ａコンバータ２３ｃと、駆動回路２３ｄとを備えている。ラッチ回路２３ａは、データ制御回路２１から受け取った画素データをラッチしてデータセレクタ回路２３ｂに出力する。一の水平期間で正極性ドライバ部２３が３つの画素１３を駆動することに対応して、正極性ドライバ部２３には、３つのラッチ回路２３ａが設けられている。
【００３７】
データセレクタ回路２３ｂは、３つのラッチ回路２３ａのうちから、次に駆動されるべき画素１３に対応するラッチ回路２３ａを選択し、画素データを選択されたラッチ回路２３ａからＤ／Ａコンバータ２３ｃに転送する。
【００３８】
Ｄ／Ａコンバータ２３ｃは、選択されたラッチ回路２３ａからデータセレクタ回路２３ｂを介して画素データに対してＤ／Ａ変換を行い、画素データに対応する階調電圧を出力する。より具体的には、Ｄ／Ａコンバータ２３ｃは、選択されたラッチ回路２３ａから受け取った画素データに応答して階調生成回路２２から供給される正の階調電圧のうちの一を選択し、選択した階調電圧を正極性駆動回路２３ｄに供給する。
【００３９】
正極性駆動回路２３ｄは、画素データに対応するデータ信号を生成するための回路である；正極側駆動回路２３ｄは、ボルテージフォロアとして機能し、Ｄ／Ａコンバータ２３ｃから供給された階調電圧に対応する信号レベルを有するデータ信号に出力する。正極側駆動回路２３ｄとしては、典型的にはオペアンプが使用される。
【００４０】
データセレクタ回路２３ｂとＤ／Ａコンバータ２３ｃの間に、レベルシフタが挿入される場合がある。これは、コモン一定駆動法が採用される本実施の形態では、Ｄ／Ａコンバータ２３ｃに高い階調電圧が印加され得るためである。レベルシフタは、データセレクタ２３ｂが出力する信号の電圧レベルと、Ｄ／Ａコンバータ２３ｃが取り扱う信号の電圧レベルとの整合を取るために使用される。
【００４１】
階調生成回路２２から受け取る階調電圧及び、生成すべきデータ信号の極性が異なることを除けば、負極性ドライバ部２４は、正極性ドライバ部２３と同様の構成を有し、同様の動作を行う。負極側ドライバ部２４は、ラッチ回路２４ａと、データセレクタ回路２４ｂと、Ｄ／Ａコンバータ２４ｃと、負極側駆動回路２４ｄとを備えている。ラッチ回路２４ａと、データセレクタ回路２４ｂと、Ｄ／Ａコンバータ２４ｃと、負極側駆動回路２４ｄは、それぞれ、ラッチ回路２３ａと、データセレクタ回路２３ｂと、Ｄ／Ａコンバータ２３ｃと、正極性駆動回路２３ｄに対応する機能を有している。
【００４２】
極性切り替えスイッチ群２５は、正極側ドライバ部２３及び負極側ドライバ部２４の出力を、所望の出力端子に接続する回路である。例えば、奇数出力端子Ｓｏｕｒｃｅ１、３・・・に正の極性のデータ信号を、偶数出力端子Ｓｏｕｒｃｅ２、４・・・に負の極性のデータ信号を出力すべき場合には、正極側ドライバ部２３の出力が奇数出力端子Ｓｏｕｒｃｅ１、３・・・に接続され、対応する負極性ドライバ部２４の出力が出力端子Ｓｏｕｒｃｅ２、４・・・に接続される。
【００４３】
セレクタ制御回路２６は、ラッチ回路２３ａ、２４ａに保持されている画素データのうちの所望の画素データがＤ／Ａコンバータ２３ｃ、２４ｃに転送されるように、データセレクタ回路２３ｂ、２４ｂを制御する。
【００４４】
極性切り替えスイッチ制御回路２７は、極性信号ＰＯＬに応答して、極性切り替えスイッチ群２５の接続関係を指示する回路である。極性切り替えスイッチ制御回路２６は、極性信号ＰＯＬがアクティブであるとき（即ち、Ｈｉｇｈレベルであるとき）、正極性ドライバ部２３を奇数出力端子Ｓｏｕｒｃｅ１、３、・・・に接続し、且つ、負極性ドライバ部２４を偶数出力端子Ｓｏｕｒｃｅ２、４、・・・に接続する。一方、極性信号ＰＯＬがアクティブでないとき（即ち、Ｌｏｗレベルであるとき）、極性切り替えスイッチ制御回路２６は、正極性ドライバ部２３を偶数出力端子Ｓｏｕｒｃｅ２、４、・・・に接続し、負極性ドライバ部２４を奇数出力端子Ｓｏｕｒｃｅ１、３、・・・に接続する。
【００４５】
ＲＧＢスイッチ制御回路２８は、ＬＣＤパネル１に設けられているスイッチ１９を制御する制御信号ＲＳＷ、ＧＳＷ、ＢＳＷを生成する回路である。
【００４６】
タイミングコントロール回路２９は、データ制御回路２１、セレクタ制御回路２６、極性切り替えスイッチ制御回路２７、及びＲＧＢスイッチ制御回路２８の動作タイミングを制御する。
【００４７】
（第１の実施形態に係る液晶表示装置の動作）
第１の実施形態の液晶表示装置の一つの特徴は、ＬＣＤドライバ２の各出力端子から同一の極性のデータ信号が連続して出力されるように、データ線１２を選択する順番、即ち、画素１３にデータ信号を書き込む書き込み順番が決定されていることにある。このような動作は、ＬＣＤドライバ２の出力端子に生成されるデータ信号の極性が反転される回数を減少させ、ＬＣＤドライバ２の消費電力を有効に低減させる。
【００４８】
具体的には、図８に示されているように、第１水平期間においてＬＣＤドライバ２は、奇数出力端子Ｓｏｕｒｃｅ１、３、・・・からＲ画素１３Ｒ１、Ｂ画素１３Ｂ１に供給される正極性のデータ信号を逐次に出力し、その後、Ｇ画素１３Ｇ１に供給される負極性のデータ信号を出力する。一方、偶数出力端子Ｓｏｕｒｃｅ２、４、・・・については、ＬＣＤドライバ２は、Ｒ画素１３Ｒ２、Ｂ画素１３Ｂ２に供給される負極性のデータ信号を逐次に出力し、その後、Ｇ画素１３Ｇ２に供給される正極性のデータ信号を出力する。第１水平期間では、ＬＣＤドライバ２の各出力端子の電位は、Ｇ画素１３Ｇ１、１３Ｇ２への書き込みのときにのみ反転されることに留意されたい。
【００４９】
第２水平期間では、極性が反転された上で同様の順番でデータ信号が出力される；即ち、第２水平期間では、ＬＣＤドライバ２は、奇数出力端子Ｓｏｕｒｃｅ１、３、・・・からＲ画素１３Ｒ１、Ｂ画素１３Ｂ１に供給される負極性のデータ信号を逐次に出力し、その後、Ｇ画素１３Ｇ１に供給される正極性のデータ信号を出力する。更に、ＬＣＤドライバ２は、偶数出力端子Ｓｏｕｒｃｅ２、４、・・・からＲ画素１３Ｒ２、Ｂ画素１３Ｂ２に供給される正極性のデータ信号を逐次に出力し、その後、Ｇ画素１３Ｇ２に供給される負極性のデータ信号を出力する。第２水平期間も、ＬＣＤドライバ２の各出力端子の電位は、Ｇ画素１３Ｇ１、１３Ｇ２への書き込みのときにのみ反転されることに留意されたい。
【００５０】
以後の水平期間でも、同様の手順で画素１３が駆動される。奇数水平期間では、第１水平期間と同様の手順で奇数ラインの画素１３が駆動され、偶数水平期間では、第２水平期間と同様の手順で偶数ラインの画素１３が駆動される。
【００５１】
このような手順によれば、いずれの水平期間においても、ＬＣＤドライバ２の各出力端子に生成されるデータ信号の極性は、一度しか反転されない。これは、ＬＣＤドライバ２の消費電力を有効に低減させる。
【００５２】
加えて、このような動作は、図９から理解されるように、隣接する画素１３に逆の極性のデータ信号を書き込む、即ち、ドット反転駆動を実現するものである。図１０は、図１０の手順に従って画素１３が駆動されたときの、画素１３の書き込み順番及び、各画素１３に書き込まれたデータ信号の極性を示している。第１ラインの画素１３については、奇数番目に位置する画素１３Ｒ１、１３Ｂ１、１３Ｇ２に正極性のデータ信号が、偶数番目に位置する画素１３Ｇ１、１３Ｒ２、１３Ｂ２に負極性のデータ信号が書き込まれる。一方、第２ラインの画素１３については、奇数番目に位置する画素１３Ｒ１、１３Ｂ１、１３Ｇ２に負極性のデータ信号が、偶数番目に位置する画素１３Ｇ１、１３Ｒ２、１３Ｂ２に正極性のデータ信号が書き込まれる。このように、水平方向、垂直方向のいずれについても、隣接する画素１３に書き込まれるデータ信号の極性は逆である。
【００５３】
図９に示されている画素１３の書き込み順番が、画素１３の空間的な配置の順番と相違していることに留意されたい。即ち、ＬＣＤパネル１には、Ｒ画素１３Ｒ１、Ｇ画素１３Ｇ１及びＢ画素１３Ｂ１が、左から順に配置されているのに対し、書き込み順番は、Ｒ画素１３Ｒ１、Ｂ画素１３Ｂ１、Ｇ画素１３Ｇ１の順である。発明者の一つの発見は、画素１３の書き込み順番と画素１３の空間的な配置とを相違させることにより、ドット反転駆動を採用する液晶表示装置１０において、ＬＣＤドライバ１の出力端子に生成されるデータ信号の極性を反転させる回数を少なくできる、ということにある。
【００５４】
より具体的には、画素１３へのデータ信号の書き込みは、下記のような手順で行われる。
図１０を参照して、水平同期信号Ｈｓｙｎｃが活性化されて第１水平期間が開始されると、ゲート線１１１が活性化され、第１ラインの画素１３が選択される。第１水平期間の開始時には、極性信号ＰＯＬが活性化され、奇数出力端子Ｓｏｕｒｃｅ１、３、・・・が正極性ドライバ部２３に、偶数出力端子Ｓｏｕｒｃｅ２、４、・・・が負極性ドライバ部２４に接続されている。言い換えれば、ＬＣＤドライバ２は、正極性のデータ信号を奇数出力端子Ｓｏｕｒｃｅ１、３、・・・から出力し、負極性のデータ信号を偶数出力端子Ｓｏｕｒｃｅ２、４、・・・から出力するように設定されている。
【００５５】
続いて、ＬＣＤドライバ２は、図８に示されているように、奇数出力端子Ｓｏｕｒｃｅ１、３、・・・からＲ画素１３Ｒ１、Ｂ画素１３Ｂ１に供給される正極性のデータ信号を逐次に出力し、偶数出力端子Ｓｏｕｒｃｅ２、４、・・・からＲ画素１３Ｒ２、Ｂ画素１３Ｂ２に供給される負極性のデータ信号を逐次に出力する。更にＬＣＤドライバ２は、図１０に示されているように、Ｒ画素１３Ｒ１、１３Ｒ２、Ｂ画素１３Ｂ１、１３Ｂ２のデータ信号の出力と同期して制御信号ＲＳＷ、制御信号ＢＳＷを逐次に活性化する。これにより、データ線１２Ｒ１、１２Ｂ１が逐次に選択され、選択されたデータ線１２Ｒ１、１２Ｂ１を介してＲ画素１３Ｒ１、Ｂ画素１３Ｂ１への正極性のデータ信号の書き込みが行われる。加えて、データ線１２Ｒ２、１２Ｂ２が逐次に選択され、選択されたデータ線１２Ｒ２、１２Ｂ２を介してＲ画素１３Ｒ２、Ｂ画素１３Ｂ２への負極性のデータ信号の書き込みが行われる。
【００５６】
Ｂ画素１３Ｂ１、１３Ｂ２へのデータ信号の書き込みが終了すると、極性信号ＰＯＬが反転され、極性切り替えスイッチ群２５の接続関係が切り替えられる。これにより、奇数出力端子Ｓｏｕｒｃｅ１、３が負極性ドライバ部２４に接続され、偶数出力端子Ｓｏｕｒｃｅ２、４、・・・が正極性ドライバ部２３に接続される。
【００５７】
続いて、ＬＣＤドライバ２は、図８に示されているように、奇数出力端子Ｓｏｕｒｃｅ１、３、・・・からＧ画素１３Ｇ１に供給される負極性のデータ信号を出力し、偶数出力端子Ｓｏｕｒｃｅ２、４、・・・からＧ画素１３Ｇ２に供給される正極性のデータ信号を出力する。更にＬＣＤドライバ２は、図１０に示されているように、Ｇ画素１３Ｇ１、１３Ｇ２のデータ信号の出力と同期して、制御信号ＧＳＷを活性化し、これにより、データ線１２Ｇ１、１２Ｇ２が選択される。データ線１２Ｇ１を介して、Ｇ画素１３Ｇ１への負極性のデータ信号の書き込みが行われ、データ線１２Ｇ２を介して、Ｇ画素１３Ｇ２への正極性のデータ信号の書き込みが行われる。これで第１水平期間におけるデータ信号の書き込みが完了する。第１水平期間では、ＬＣＤドライバ２の各出力端子の電位は、Ｇ画素１３Ｇ１、１３Ｇ２への書き込みのときにのみ反転されることに留意されたい。
【００５８】
第２水平期間では、データ信号の極性が反転された上で同様の手順が行われる。図１０を参照して、水平同期信号Ｈｓｙｎｃが活性化されて第２水平期間が開始されると、ゲート線１１２が活性化され、第２ラインの画素１３が選択される。
【００５９】
続いて、ＬＣＤドライバ２は、図８に示されているように、奇数出力端子Ｓｏｕｒｃｅ１、３、・・・からＲ画素１３Ｒ１、Ｂ画素１３Ｂ１に供給される負極性のデータ信号を逐次に出力し、偶数出力端子Ｓｏｕｒｃｅ２、４、・・・からＲ画素１３Ｒ２、Ｂ画素１３Ｂ２に供給される正極性のデータ信号を逐次に出力する。更にＬＣＤドライバ２は、図１０に示されているように、制御信号ＲＳＷ、制御信号ＢＳＷを逐次に活性化する。これにより、Ｒ画素１３Ｒ１、Ｂ画素１３Ｂ１への負極性のデータ信号の書き込みが逐次に行われ、Ｒ画素１３Ｒ２、Ｂ画素１３Ｂ２への正極性のデータ信号の書き込みが逐次に行われる。
【００６０】
Ｂ画素１３Ｂ１、１３Ｂ２へのデータ信号の書き込みが終了すると、極性信号ＰＯＬが反転され、極性切り替えスイッチ群２５の接続関係が切り替えられる。これにより、奇数出力端子Ｓｏｕｒｃｅ１、３が正極性ドライバ部２３に接続され、偶数出力端子Ｓｏｕｒｃｅ２、４、・・・が負極性ドライバ部２４に接続される。
【００６１】
続いて、ＬＣＤドライバ２は、図８に示されているように、奇数出力端子Ｓｏｕｒｃｅ１、３、・・・からＧ画素１３Ｇ１に供給される正極性のデータ信号を出力し、偶数出力端子Ｓｏｕｒｃｅ２、４、・・・からＧ画素１３Ｇ２に供給される負極性のデータ信号を出力する。更にＬＣＤドライバ２は、図１０に示されているように、Ｇ画素１３Ｇ１、１３Ｇ２のデータ信号の出力と同期して制御信号ＧＳＷを活性化する。これにより、Ｇ画素１３Ｇ１への正極性のデータ信号の書き込みが行われ、Ｇ画素１３Ｇ２への負極性のデータ信号の書き込みが行われる。これで第２水平期間におけるデータ信号の書き込みが完了する。第２水平期間でも、ＬＣＤドライバ２の各出力端子の電位は、Ｇ画素１３Ｇ１、１３Ｇ２への書き込みのときにのみ反転されることに留意されたい。
【００６２】
以上に説明されているように、本実施形態の液晶表示装置１０は、ＬＣＤドライバ２の出力端子においてデータ信号の極性が反転される回数を減少させ、これにより、ＬＣＤドライバ２の消費電力を有効に低減することができる。
【００６３】
図１１は、更に好適な液晶表示装置の動作を示す図である。図１１に示されている動作は、時分割駆動とドット反転駆動の両方を採用する液晶表示装置の一つの問題、即ち、隣接するデータ線１２の間の容量カップリングの影響による画素１３に保持される書き込み電圧の変動に対処するためのものである。以下では、まず、容量カップリングの影響による画素１３に保持される書き込み電圧の変動について説明する。
【００６４】
時分割駆動が採用される場合には、各データ線１２は、データ信号の画素１３への書き込みの後、対応する入力ノード１７から切り離される。選択されたゲート線１１は、それに接続されている全ての画素１３の書き込みが終了するまで、活性化されたままであるから、データ線１２の電位は、データ信号の画素１３の書き込みの後も、全ての画素１３の書き込みが終了するまでそのままで維持されなくてはならない；そうでなければ、画素１３の液晶容量には所望の電圧が維持されない。
【００６５】
一方で、ドット反転駆動では、隣接するデータ線１２に、異なる極性のデータ信号が供給される。これは、隣接するデータ線１２の間の容量カップリングにより、データ線１２の電位が変動し得ることを意味している。データ線１２の電位の変動は、画素１３に保持される書き込み電圧を不所望に変動させる。
【００６６】
図１１に図示されている動作は、このような問題に有効に対処するためのものである。具体的には、Ｇ画素及びＢ画素にデータ信号を書き込んだ後で、再度にＲ画素、Ｂ画素、Ｇ画素に順次にデータ信号が書き込まれる。このような書き込み順番での画素１３への書き込みは、図１２に示されているように、制御信号ＧＳＷ、ＢＳＷをこの順序で活性化した後、制御信号ＲＳＷ、ＢＳＷ、ＧＳＷをこの順序で活性化することによって達成可能である。Ｇ画素及びＢ画素には２回、同一の信号レベルのデータ信号が書き込まれる一方で、Ｒ画素には１回しかデータ信号が書き込まれないことに留意されたい。
【００６７】
図１１の動作による、隣接するデータ線１２の間の容量カップリングの影響の抑制は、以下に述べられる原理によるものである。図６を参照して最初にＧ画素にデータ信号が書き込まれた後にＢ画素にデータ信号を書き込むと、Ｇ画素に接続されたデータ線１２の電位が容量カップリングによって多少変動する。同様に、Ｂ画素にデータ信号が書き込まれた後に、Ｒ画素にデータ信号を書き込むと、同様に、Ｂ画素に接続されたデータ線１２の電位が容量カップリングによって多少変動する。
【００６８】
しかし、Ｒ画素にデータ信号が書き込まれた後に、再度にＢ画素にデータ信号を書き込むことにより、Ｒ画素に接続されたデータ線１２の電位をほとんど変動させずに、Ｂ画素に接続されたデータ線１２を所望の電位に駆動することができる。これは、先に行われたＢ画素へのデータ信号の書き込みにより、Ｂ画素に接続されたデータ線１２には所望の電位に近い電位が与えられているためである。Ｂ画素へのデータ信号の再度の書き込みによるＢ画素に接続されたデータ線１２の電位の変動は小さいから、（それに隣接する）Ｒ画素に接続されたデータ線１２の電位の変動も小さい。
【００６９】
同様に、２回目にＢ画素にデータ信号が書き込まれた後に、再度にＧ画素にデータ信号を書き込むことにより、Ｂ画素に接続されたデータ線１２の電位をほとんど変動させずに、Ｂ画素に接続されたデータ線１２を所望の電位に駆動することができる。
【００７０】
Ｒ画素にはデータ信号を２回書き込む必要がないことに留意されたい。これは、Ｒ画素へのデータ信号の書き込みの後は、データ線１２の電位を大きく変動させるような書き込み動作が行われないからである。
【００７１】
図１１に図示されている動作においても、ＬＣＤドライバ２の出力端子に生成されるデータ信号の極性を反転させる回数が少なくなるように画素１３の書き込み順番が決定されていることに留意されたい。より具体的には、第１水平期間が開始されると、奇数出力端子Ｓｏｕｒｃｅ１、３、・・・には、まず、Ｇ画素１３Ｇ１に書き込まれる負極性のデータ信号が生成される。続いて、Ｂ画素１３Ｂ１、Ｒ画素１３Ｒ１に書き込まれる正極性のデータ信号が生成される。更に、Ｂ画素１３Ｂ１に再度に書き込まれる正極性のデータ信号が生成される。最後に、Ｇ画素１３Ｇ１に再度に書き込まれる負極性のデータ信号が生成される。第１水平期間に続く第２水平期間では、まず、Ｇ画素１３Ｇ１に書き込まれる正極性のデータ信号が生成される。続いて、Ｂ画素１３Ｂ１、Ｒ画素１３Ｒ１に書き込まれる負極性のデータ信号が生成される。更に、Ｂ画素１３Ｂ１に再度に書き込まれる負極性のデータ信号が生成される。最後に、Ｇ画素１３Ｇ１に再度に書き込まれる正極性のデータ信号が生成される。このような動作によれば、各水平期間において、データ信号の書き込みが５回行われるにも関らず、出力端子Ｓｏｕｒｃｅ１、３、・・・に生成されたデータ信号の極性が反転される回数は３回である。
【００７２】
偶数出力端子Ｓｏｕｒｃｅ２、４・・・についても同様である。第１水平期間が開始されると、偶数出力端子Ｓｏｕｒｃｅ２、４、・・・には、まず、Ｇ画素１３Ｇ２に書き込まれる正極性のデータ信号が生成される。続いて、Ｂ画素１３Ｂ２、Ｒ画素１３Ｒ２に書き込まれる負極性のデータ信号が生成される。更に、Ｂ画素１３Ｂ２に再度に書き込まれる負極性のデータ信号が生成される。最後に、Ｇ画素１３Ｇ２に再度に書き込まれる正極性のデータ信号が生成される。第１水平期間に続く第２水平期間では、まず、Ｇ画素１３Ｇ２に書き込まれる負極性のデータ信号が生成される。続いて、Ｂ画素１３Ｂ２、Ｒ画素１３Ｒ２に書き込まれる正極性のデータ信号が生成される。更に、Ｂ画素１３Ｂ２に再度に書き込まれる正極性のデータ信号が生成される。最後に、Ｇ画素１３Ｇ２に再度に書き込まれる負極性のデータ信号が生成される。このような動作によれば、第１水平期間、第２水平期間のいずれの水平期間においても、偶数出力端子Ｓｏｕｒｃｅ２、４・・・に生成されたデータ信号の極性が反転される回数は３回である。
【００７３】
以後の水平期間でも、同様の手順で画素１３が駆動される。奇数水平期間では、第１水平期間と同様の手順で奇数ラインの画素１３が駆動され、偶数水平期間では、第２水平期間と同様の手順で偶数ラインの画素１３が駆動される。
【００７４】
以上に説明されているように、図１１に示されている動作によれば、ＬＣＤドライバ２の出力端子に生成されるデータ信号の極性を反転させる回数を抑制しながら、隣接するデータ線１２の間の容量カップリングによるデータ線１２の電位の変動を抑制できる。
【００７５】
第２の実施形態：
図１３は、本発明の第２の実施形態に係る液晶表示装置の構成を示す回路図である。第２の実施形態に係る液晶表示装置では、第１の実施形態におけるＬＣＤパネル１に搭載されたスイッチ１９と、ＬＣＤドライバ２の極性切り換えスイッチ回路群２５の両方の機能が、ＬＣＤドライバ２Ａに搭載されたデータ線選択／極性切り換え回路群２５Ａによって実現されている。データ線選択／極性切り換え回路群２５Ａは、データ線１２を逐次に選択する機能とともに、選択されたデータ線１２を正極性ドライバ部２３、負極性ドライバ部２４のうちの所望のドライバ部の出力に接続する機能を有している。
【００７６】
詳細には、データ線選択／極性切り換え回路群２５Ａは、ストレートスイッチ１９とクロススイッチ２０を備えている。ストレートスイッチ１９は、正極性ドライバ部２３を奇数入力ノード１７Ｏを介してデータ線１２Ｒ１、１２Ｇ１、１２Ｂ１に接続し、負極性ドライバ部２４を偶数入力ノード１７Ｅを介してデータ線１２Ｒ２、１２Ｇ２、１２Ｂ２に接続するためのものである。ストレートスイッチ１９Ｒ１、１９Ｇ１、１９Ｂ１は、奇数入力ノード１７Ｏとデータ線１２Ｒ１、１２Ｇ１、１２Ｂ１の間に接続され、ストレートスイッチ１９Ｒ２、１９Ｇ２、１９Ｂ２は、偶数入力ノード１７Ｅとデータ線１２Ｒ２、１２Ｇ２、１２Ｂ２の間に接続されている。ストレートスイッチ１９Ｒ１、１９Ｇ１、１９Ｂ１、１９Ｒ２、１９Ｇ２、１９Ｂ２は、それぞれ、制御信号ＲＳＷ１、ＧＳＷ１、ＢＳＷ１、ＲＳＷ２、ＧＳＷ２、ＢＳＷ２に応答して動作する。
【００７７】
一方、クロススイッチ２０は、正極性ドライバ部２３を偶数入力ノード１７Ｅに対応するデータ線１２Ｒ２、１２Ｇ２、１２Ｂ２に接続し、負極性ドライバ部２４を奇数入力ノード１７Ｏに対応するデータ線１２Ｒ１、１２Ｇ１、１２Ｂ１に接続するためのものである。クロススイッチ２０Ｒ１、２０Ｇ１、２０Ｂ１は、奇数入力ノード１７Ｏとデータ線１２Ｒ２、１２Ｇ２、１２Ｂ２の間に接続され、クロススイッチ２０Ｒ２、２０Ｇ２、２０Ｂ２は、偶数入力ノード１７Ｏとデータ線１２Ｒ１、１２Ｇ１、１２Ｂ１の間に接続されている。クロススイッチ２０Ｒ１、２０Ｇ１、２０Ｂ１、２０Ｒ２、２０Ｇ２、２０Ｂ２は、それぞれ、制御信号ＲＳＷ１、ＧＳＷ１、ＢＳＷ１、ＲＳＷ２、ＧＳＷ２、ＢＳＷ２に応答して動作する。
【００７８】
データ線選択／極性切り換え回路群２５Ａの入力ノード１７は、正極性ドライバ部２３、負極性ドライバ部２４の出力端子にそれぞれに接続されている。第１の実施形態とは異なり、本実施形態では、正極性ドライバ部２３、負極性ドライバ部２４の出力端子が、順に、Ｓｏｕｒｃｅ１、Ｓｏｕｒｃｅ２、・・・と記載されることに留意されたい。
【００７９】
図１４は、ＬＣＤドライバ２Ａのうち、データ線選択／極性切り換え回路群２５Ａ以外の部分の構成を示す図である。ＬＣＤドライバ２Ａは、下記３つの点：ＲＧＢスイッチ制御回路２８が６つの制御信号ＲＳＷ１、ＧＳＷ１、ＢＳＷ１、ＲＳＷ２、ＧＳＷ２、ＢＳＷ２を生成する点、極性切り替えスイッチ群２５の代わりにデータ線選択／極性切り換え回路群２５Ａが搭載されている点、及び、極性切り替えスイッチ群２５を制御する極性切り替えスイッチ制御回路２７を具備しない点を除けば、図７のＬＣＤドライバ２と同様の構成を有している。
【００８０】
第２の実施形態の液晶表示装置の一つの特徴は、上述されたデータ線選択／極性切り換え回路群２５Ａの機能によってデータ信号を分配する経路上のノードの電位を反転させる必要がない点である。データ線選択／極性切り換え回路群２５Ａは、奇数入力ノード１７Ｏ、及び偶数入力ノード１７Ｅをデータ線１２Ｒ１、１２Ｇ１、１２Ｂ１、１２Ｒ２、１２Ｇ２、１２Ｂ２のいずれにも接続する機能を有しているため、奇数入力ノード１７Ｏ、及び偶数入力ノード１７Ｅを、それぞれ正極性ドライバ部２３、負極性ドライバ部２４に直接に接続することが可能である；図７に示されているように、奇数入力ノード１７Ｏ、及び偶数入力ノード１７Ｅと、正極性ドライバ部２３及び負極性ドライバ部２４の間の接続関係を切り替える必要がない。従って、奇数入力ノード１７Ｏ、及び偶数入力ノード１７Ｅの電位を反転させる必要がない。以下では、このように構成された第２の実施形態の液晶表示装置の動作を詳細に説明する。
【００８１】
具体的には、図１５を参照して、第１水平期間では、ゲート線１１１が活性化されて第１ラインの画素１３が選択される。更に、ＬＣＤドライバ２の正極性ドライバ部２３は、奇数出力端子Ｓｏｕｒｃｅ１、３、・・・からＲ画素１３Ｒ１、Ｇ画素１３Ｇ２、Ｂ画素１３Ｂ１に供給される正極性のデータ信号を逐次に出力する。更に負極性ドライバ部２４は、偶数出力端子Ｓｏｕｒｃｅ２、４、・・・からＲ画素１３Ｒ２、Ｇ画素１３Ｇ１、Ｂ画素１３Ｂ２に供給される負極性のデータ信号を逐次に出力する。
【００８２】
これらのデータ信号の供給と同期して、図１６に示されているように、制御信号ＲＳＷ１、ＧＳＷ２、ＢＳＷ１が順次に活性化される。制御信号ＲＳＷ１が活性化されると、ストレートスイッチ１９Ｒ１、１９Ｒ２がターンオンされ、データ線１２Ｒ１が奇数入力ノード１７Ｏに、データ線１２Ｒ２が偶数入力ノード１７Ｅに接続される。これにより、正極性ドライバ部２３によって生成された正極性のデータ信号がデータ線１２Ｒ１を介してＲ画素１３Ｒ１に書き込まれ、負極性ドライバ部２４によって生成された負極性のデータ信号がデータ線１２Ｒ２を介してＲ画素１３Ｒ２に書き込まれる。
【００８３】
続いて制御信号ＧＳＷ２が活性化されると、クロススイッチ２０Ｇ１、２０Ｇ２がターンオンされ、データ線１２Ｇ２が奇数入力ノード１７Ｏに、データ線１２Ｇ１が偶数入力ノード１７Ｅに接続される。これにより、正極性ドライバ部２３によって生成された正極性のデータ信号がデータ線１２Ｇ２を介してＧ画素１３Ｒ２に書き込まれ、負極性ドライバ部２４によって生成された負極性のデータ信号がデータ線１２Ｇ１を介してＧ画素１３Ｇ１に書き込まれる。
【００８４】
更に続いて制御信号ＢＳＷ１が活性化されると、ストレートスイッチ１９Ｂ１、１９Ｂ２がターンオンされ、データ線１２Ｂ１が奇数入力ノード１７Ｏに、データ線１２Ｂ２が偶数入力ノード１７Ｅに接続される。これにより、正極性ドライバ部２３によって生成された正極性のデータ信号がデータ線１２Ｂ１を介してＢ画素１３Ｂ１に書き込まれ、負極性ドライバ部２４によって生成された負極性のデータ信号がデータ線１２Ｂ２を介してＢ画素１３Ｂ２に書き込まれる。
【００８５】
図１５を再度に参照して、第１水平期間に続く第２水平期間では、ゲート線１１２が活性化されて第２ラインの画素１３が選択される。更に、ＬＣＤドライバ２の正極性ドライバ部２３は、奇数出力端子Ｓｏｕｒｃｅ１、３、・・・からＲ画素１３Ｒ２、Ｇ画素１３Ｇ１、Ｂ画素１３Ｂ２に供給される正極性のデータ信号を逐次に出力する。更に負極性ドライバ部２４は、偶数出力端子Ｓｏｕｒｃｅ２、４、・・・からＲ画素１３Ｒ１、Ｇ画素１３Ｂ２、Ｂ画素１３Ｂ１に供給される負極性のデータ信号を逐次に出力する。
【００８６】
これらのデータ信号の供給と同期して、図１６に示されているように、制御信号ＲＳＷ２、ＧＳＷ１、ＢＳＷ２が順次に活性化される。制御信号ＲＳＷ２が活性化されると、クロススイッチ２０Ｒ１、２０Ｒ２がターンオンされ、データ線１２Ｒ２が奇数入力ノード１７Ｏに、データ線１２Ｒ１が偶数入力ノード１７Ｅに接続される。これにより、正極性ドライバ部２３によって生成された正極性のデータ信号がデータ線１２Ｒ２を介してＲ画素１３Ｒ２に書き込まれ、負極性ドライバ部２４によって生成された負極性のデータ信号がデータ線１２Ｒ１を介してＲ画素１３Ｒ１に書き込まれる。
【００８７】
続いて制御信号ＧＳＷ１が活性化されると、ストレートスイッチ１９Ｇ１、１９Ｇ２がターンオンされ、データ線１２Ｇ１が奇数入力ノード１７Ｏに、データ線１２Ｇ２が偶数入力ノード１７Ｅに接続される。これにより、正極性ドライバ部２３によって生成された正極性のデータ信号がデータ線１２Ｇ１を介してＧ画素１３Ｒ１に書き込まれ、負極性ドライバ部２４によって生成された負極性のデータ信号がデータ線１２Ｇ２を介してＧ画素１３Ｇ２に書き込まれる。
【００８８】
更に続いて制御信号ＢＳＷ２が活性化されると、クロススイッチ２０Ｂ１、２０Ｂ２がターンオンされ、データ線１２Ｂ２が奇数入力ノード１７Ｏに、データ線１２Ｂ１が偶数入力ノード１７Ｅに接続される。これにより、正極性ドライバ部２３によって生成された正極性のデータ信号がデータ線１２Ｂ２を介してＢ画素１３Ｂ２に書き込まれ、負極性ドライバ部２４によって生成された負極性のデータ信号がデータ線１２Ｂ１を介してＢ画素１３Ｂ１に書き込まれる。
【００８９】
このような動作によれば、データ信号を分配する経路上の奇数入力ノード１７Ｏ、及び偶数入力ノード１７Ｅの電位を反転する必要がなくなり、ＬＣＤドライバ２の消費電力を更に低減することができる。
【００９０】
第３の実施形態：
図１８は、本発明の第３の実施形態に係る液晶表示装置の構成を示すブロック図である。第３の実施形態の係る液晶表示装置は、１つの入力ノードあたりに６本のデータ線が用意されている；即ち、一つの水平期間において６本のデータ線が時分割的に駆動される。
【００９１】
留意すべきことは、公知技術によれば、隣接する画素に逆の極性のデータ信号を書き込むドット反転駆動と、一水平期間に偶数本のデータ線を順次に駆動する時分割駆動方式と、は両立しないと考えられていることである。このことは、特開平１１−３２７５１８号公報にも開示されている（要約参照）。図１８を参照して、従来から行われているように、１つの入力ノード１７に接続されているデータ線１２を左端から順に駆動すると、奇数入力ノード１７Ｏ及び偶数入力ノード１７Ｅに同一の極性のデータ信号が供給されることになる。これは、コモン電位ＶＣＯＭの変動を招き、ドット反転駆動の利点を失わせる。特開平１１−３２７５１８号公報は、かかる問題を回避するために一水平期間に３ｎ本のデータ線を駆動することを提案している。
【００９２】
しかしながら、発明者は、画素１３を駆動する順序を適切に選択することにより、ＬＣＤドライバの出力端子に生成されるデータ信号の極性が反転される回数を減少させるとともに、ドット反転駆動と一水平期間に偶数本のデータ線を順次に駆動する時分割駆動方式とを両立できることを発見した。第３の実施形態に係る液晶表示装置は、このような発見に基づくものである。
【００９３】
具体的には、第３の実施形態に係る液晶表示装置は、ＬＣＤパネル１ＢとＬＣＤドライバ２Ｂとを備えている。ＬＣＤパネル１Ｂには、ゲート線１１１、１１２・・・と、データ線１２Ｒ１〜１２Ｒ４、１２Ｇ１〜１２Ｇ４、１２Ｂ１〜１２Ｂ４と、Ｒ画素１３Ｒ１〜１３Ｒ４と、Ｇ画素１３Ｇ１〜１３Ｇ４と、Ｂ画素１３Ｂ１〜１３Ｂ４とを備えている。Ｒ画素１３Ｒ１〜１３Ｒ４は、それぞれ、データ線１２Ｒ１〜１２Ｒ４に接続されている。同様に、Ｇ画素１３Ｇ１〜１３Ｇ４は、それぞれ、データ線１２Ｇ１〜１２Ｇ４に接続されており、Ｂ画素１３Ｂ１〜１３Ｂ４は、それぞれ、データ線１２Ｂ１〜１２Ｂ４に接続されている。
【００９４】
データ線１２Ｒ１、１２Ｇ１、１２Ｂ１、１２Ｒ２、１２Ｇ２、１２Ｂ２は、空間的にこの順番で並べられており、それぞれ、スイッチ１９Ｒ１、１９Ｇ１、１９Ｂ１、１９Ｒ２、１９Ｇ２、１９Ｂ２を介して奇数入力ノード１７Ｏに接続されている。スイッチ１９Ｒ１、１９Ｇ１、１９Ｂ１、１９Ｒ２、１９Ｇ２、１９Ｂ２は、それぞれ、制御信号ＲＳＷ１、ＧＳＷ１、ＢＳＷ１、ＲＳＷ２、ＧＳＷ２、ＢＳＷ２に応答して動作する。
【００９５】
同様に、データ線１２Ｒ３、１２Ｇ３、１２Ｂ３、１２Ｒ４、１２Ｇ４、１２Ｂ４は、空間的にこの順で並べられており、それぞれ、スイッチ１９Ｒ３、１９Ｇ３、１９Ｂ３、１９Ｒ４、１９Ｇ４、１９Ｂ４を介して偶数入力ノード１７Ｅに接続されている。相対的に左に位置するデータ線１２Ｒ３、１２Ｇ３、１２Ｂ３に夫々に接続されているスイッチ１９Ｒ３、１９Ｇ３、１９Ｂ３が、それぞれ、制御信号ＲＳＷ２、ＧＳＷ２、ＢＳＷ２に応答して動作する一方で、相対的に右に位置するデータ線１２Ｒ４、１２Ｇ４、１２Ｂ４に夫々に接続されているスイッチ１９Ｒ４、１９Ｇ４、１９Ｂ４が制御信号ＲＳＷ１、ＧＳＷ１、ＢＳＷ１に応答して動作する。
【００９６】
スイッチ１９Ｒ１、１９Ｇ１、１９Ｂ１、１９Ｒ２、１９Ｇ２、１９Ｂ２と制御信号ＲＳＷ１、ＧＳＷ１、ＢＳＷ１、ＲＳＷ２、ＧＳＷ２、ＢＳＷ２との間の関係と、スイッチ１９Ｒ３、１９Ｇ３、１９Ｂ３、１９Ｒ４、１９Ｇ４、１９Ｂ４と制御信号ＲＳＷ１、ＧＳＷ１、ＢＳＷ１、ＲＳＷ２、ＧＳＷ２、ＢＳＷ２との間の関係が、本質的に異なっていることに留意されたい。例えば、制御信号ＲＳＷ１、ＧＳＷ１、ＢＳＷ１、ＲＳＷ２、ＧＳＷ２、ＢＳＷ２をこの順に活性化すると、データ線１２Ｒ１、１２Ｇ１、１２Ｂ１、１２Ｒ２、１２Ｇ２、１２Ｂ２は、左から順に選択される一方で、データ線１２Ｒ３、１２Ｇ３、１２Ｂ３、１２Ｒ４、１２Ｇ４、１２Ｂ４はそうはならない；データ線１２Ｒ４、１２Ｇ４、１２Ｂ４、１２Ｒ３、１２Ｇ３、１２Ｂ３の順で選択される。
【００９７】
図１９は、ＬＣＤドライバ２Ｂの構成を示すブロック図である。ＬＣＤドライバ２Ｂは、下記２つの点：ＲＧＢスイッチ制御回路２８が６つの制御信号ＲＳＷ１、ＧＳＷ１、ＢＳＷ１、ＲＳＷ２、ＧＳＷ２、ＢＳＷ２を生成する点、及び、正極性ドライバ部２３、負極性ドライバ部２４のそれぞれにラッチ回路２３ａ、２４ａが６つずつ用意されている点を除けば、図７のＬＣＤドライバ２と同様の構成を有している。
【００９８】
図２０、図２１Ａ、図２１Ｂ、図２２Ａ、図２２Ｂは、第３の実施形態に係る液晶表示装置の動作を示す図である。図２０に示されているように、第１水平期間においてＬＣＤドライバ２Ｂは、奇数出力端子Ｓｏｕｒｃｅ１、３、・・・から（第１ラインの画素１３である）Ｒ画素１３Ｒ１、Ｇ画素１３Ｇ２、Ｂ画素１３Ｂ１に供給される正極性のデータ信号を逐次に出力し、その後、Ｒ画素１３Ｒ２、Ｇ画素１３Ｇ１、Ｂ画素１３Ｂ２に供給される負極性のデータ信号を出力する。一方、偶数出力端子Ｓｏｕｒｃｅ２、４、・・・については、ＬＣＤドライバ２Ｂは、偶数出力端子Ｓｏｕｒｃｅ２、４、・・・からＲ画素１３Ｒ４、Ｇ画素１３Ｇ３、Ｂ画素１３Ｂ４に供給される負極性のデータ信号を逐次に出力し、その後、Ｒ画素１３Ｒ３、Ｇ画素１３Ｇ４、Ｂ画素１３Ｂ３に供給される正極性のデータ信号を出力する。奇数出力端子Ｓｏｕｒｃｅ１、３、・・・に生成されるデータ信号と、偶数出力端子Ｓｏｕｒｃｅ２、４、・・・に生成されるデータ信号との極性は、常に逆であることに留意されたい。
【００９９】
このような書き込み順番による画素１３への書き込みは、図２１Ａに示されているように、第１水平期間の開始後、制御信号ＲＳＷ１、ＧＳＷ２、ＢＳＷ１、ＲＳＷ２、ＧＳＷ１、ＢＳＷ１を、この順番で活性化することによって達成可能である。極性信号ＰＯＬは、制御信号ＲＳＷ２が活性化されるときに反転される。第１水平期間では、ＬＣＤドライバ２Ｂの各出力端子の電位は、Ｒ画素１３Ｒ２、１３Ｒ３への書き込みのときにのみ反転されることに留意されたい。
【０１００】
第２水平期間では、極性が反転された上で同様の順番でデータ信号が出力される；即ち、第２水平期間では、ＬＣＤドライバ２Ｂは、奇数出力端子Ｓｏｕｒｃｅ１、３、・・・から（第２ラインの画素１３である）Ｒ画素１３Ｒ１、Ｇ画素１３Ｇ２、Ｂ画素１３Ｂ１に供給される負極性のデータ信号を逐次に出力し、その後、Ｒ画素１３Ｒ２、Ｇ画素１３Ｇ１、Ｂ画素１３Ｂ２に供給される正極性のデータ信号を出力する。一方、偶数出力端子Ｓｏｕｒｃｅ２、４、・・・については、ＬＣＤドライバ２Ｂは、偶数出力端子Ｓｏｕｒｃｅ２、４、・・・からＲ画素１３Ｒ４、Ｇ画素１３Ｇ３、Ｂ画素１３Ｂ４に供給される正極性のデータ信号を逐次に出力し、その後、Ｒ画素１３Ｒ３、Ｇ画素１３Ｇ４、Ｂ画素１３Ｂ３に供給される負極性のデータ信号を出力する。
【０１０１】
このような書き込み順番による画素１３への書き込みは、図２１Ａに示されているように、第１水平期間の開始後、制御信号ＲＳＷ１、ＧＳＷ２、ＢＳＷ１、ＲＳＷ２、ＧＳＷ１、ＢＳＷ２を、この順番で活性化することによって達成可能である。極性信号ＰＯＬは、制御信号ＲＳＷ２が活性化されるときに反転される。第２水平期間でも、ＬＣＤドライバ２Ｂの各出力端子の電位は、Ｒ画素１３Ｒ２、１３Ｒ３への書き込みのときにのみ反転されることに留意されたい。
【０１０２】
以後の水平期間でも、同様の手順で画素１３が駆動される。奇数水平期間では、第１水平期間と同様の手順で奇数ラインの画素１３が駆動され、偶数水平期間では、第２水平期間と同様の手順で偶数ラインの画素１３が駆動される。
【０１０３】
このような手順によれば、いずれの水平期間においても、ＬＣＤドライバ２の各出力端子に生成されるデータ信号の極性は、一度しか反転されない。これは、ＬＣＤドライバ２の消費電力を有効に低減させる。
【０１０４】
加えて、このような動作は、図２２Ａ、図２２Ｂから理解されるように、隣接する画素１３に逆の極性のデータ信号を書き込む、即ち、ドット反転駆動を実現するものである。図２２Ａは、図２０の手順に従って第１ラインの画素１３が駆動されたときの、画素１３の書き込み順番及び、各画素１３に書き込まれたデータ信号の極性を示している。第１ラインの画素１３については、奇数番目に位置する画素１３Ｒ１、１３Ｂ１、１３Ｇ２、１３Ｒ３、１３Ｂ３、１３Ｇ４に正極性のデータ信号が、偶数番目に位置する画素１３Ｇ１、１３Ｒ２、１３Ｂ２、１３Ｇ３、１３Ｒ４、１３Ｂ４に負極性のデータ信号が書き込まれる。一方、第２ラインの画素１３については、図２２Ｂに示されているように、奇数番目に位置する画素１３Ｒ１、１３Ｂ１、１３Ｇ２、１３Ｒ３、１３Ｂ３、１３Ｇ４に負極性のデータ信号が、偶数番目に位置する画素１３Ｇ１、１３Ｒ２、１３Ｂ２、１３Ｇ３、１３Ｒ４、１３Ｂ４に正極性のデータ信号が書き込まれる。このように、水平方向、垂直方向のいずれについても、隣接する画素１３に書き込まれるデータ信号の極性は逆である。
【０１０５】
より画質を向上させるためには、図２３に示されているように、ある周期で（本実施形態では４フレーム周期で）、データ信号の極性及び書き込み順番が変更されることが好適である。詳細には、各画素１３に書き込まれるデータ信号の極性が各フレームで反転され、画素１３の書き込み順番が、２フレーム毎に変更される。
【０１０６】
画素１３の書き込み順番を定期的に変更するのは、スイッチ１９のリークに起因して画素１３に保持される書き込み電圧が変動することによる、画質の低下に対処するためである。データ線１２は、その長さが長く、容量が大きいから、データ線１２を駆動するためにはスイッチ１９を構成するＴＦＴに大きなドライブ能力が要求される。このため、スイッチ１９を構成するＴＦＴは、そのゲート幅が大きく、ゲート長が短く、オン抵抗が小さくなるように形成される。しかし、このように設計されたＴＦＴは、本質的にリークが大きい。このため、各画素１３に蓄積された電荷が書き込み動作の間にスイッチ１９を介して流出し、画素１３に保持される書き込み電圧が不所望に変動する。書き込み電圧の変動は、先に駆動される画素１３ほど大きい。従って、画素１３の書き込み順番が固定されていると、画素１３に保持される書き込み電圧の変動は、縦方向（データ線１２の方向）に延伸する模様、即ち、縦筋ムラとして認識される。画素１３の書き込み順番を定期的に変更することにより、書き込み電圧が不所望に変動する画素１３を時間的、空間的に分散させ、これにより、縦筋ムラを有効に抑制することができる。
【０１０７】
具体的には、第１フレームでは、上述された手順で、画素１３が駆動される。即ち、第１フレームの奇数水平期間では、ＬＣＤドライバ２Ｂは、奇数出力端子Ｓｏｕｒｃｅ１、３、・・・からＲ画素１３Ｒ１、Ｇ画素１３Ｇ２、Ｂ画素１３Ｂ１に供給される正極性のデータ信号を逐次に出力し、その後、Ｒ画素１３Ｒ２、Ｇ画素１３Ｇ１、Ｂ画素１３Ｂ２に供給される負極性のデータ信号を出力する。一方、偶数出力端子Ｓｏｕｒｃｅ２、４、・・・については、ＬＣＤドライバ２Ｂは、偶数出力端子Ｓｏｕｒｃｅ２、４、・・・からＲ画素１３Ｒ４、Ｇ画素１３Ｇ３、Ｂ画素１３Ｂ４に供給される負極性のデータ信号を逐次に出力し、その後、Ｒ画素１３Ｒ３、Ｇ画素１３Ｇ４、Ｂ画素１３Ｂ３に供給される正極性のデータ信号を出力する。偶数水平期間では、極性が反転された上で同様の順番でデータ信号が出力される。図２３には、奇数水平期間における画素１３の駆動手順のみが図示されていることに留意されたい。
【０１０８】
第２フレームでは、各画素１３のデータ信号の極性が反転されて画素１３が駆動される：即ち、第２フレームの奇数水平期間では、ＬＣＤドライバ２Ｂは、奇数出力端子Ｓｏｕｒｃｅ１、３、・・・からＲ画素１３Ｒ１、Ｇ画素１３Ｇ２、Ｂ画素１３Ｂ１に供給される負極性のデータ信号を逐次に出力し、その後、Ｒ画素１３Ｒ２、Ｇ画素１３Ｇ１、Ｂ画素１３Ｂ２に供給される正極性のデータ信号を出力する。一方、偶数出力端子Ｓｏｕｒｃｅ２、４、・・・については、ＬＣＤドライバ２Ｂは、Ｒ画素１３Ｒ４、Ｇ画素１３Ｇ３、Ｂ画素１３Ｂ４に供給される正極性のデータ信号を逐次に出力し、その後、Ｒ画素１３Ｒ３、Ｇ画素１３Ｇ４、Ｂ画素１３Ｂ３に供給される正極性のデータ信号を出力する。
【０１０９】
第３フレームでは、各画素１３のデータ信号の極性が再度に反転される（即ち、各画素１３が、第１フレームと同一の極性のデータ信号で駆動される）共に、画素１３の書き込み順番が変更される。即ち、第３フレームの奇数水平期間では、ＬＣＤドライバ２Ｂは、奇数出力端子Ｓｏｕｒｃｅ１、３、・・・からＲ画素１３Ｒ２、Ｇ画素１３Ｇ１、Ｂ画素１３Ｂ２に供給される負極性のデータ信号を逐次に出力し、その後、Ｒ画素１３Ｒ１、Ｇ画素１３Ｇ２、Ｂ画素１３Ｂ１に供給される正極性のデータ信号を逐次に出力する。一方、偶数出力端子Ｓｏｕｒｃｅ２、４、・・・については、ＬＣＤドライバ２Ｂは、Ｒ画素１３Ｒ３、Ｇ画素１３Ｇ４、Ｂ画素１３Ｂ３に供給される正極性のデータ信号を逐次に出力し、その後、Ｒ画素１３Ｒ４、Ｇ画素１３Ｇ３、Ｂ画素１３Ｂ４に供給される負極性のデータ信号を逐次に出力する。偶数水平期間では、極性が反転された上で同様の順番でデータ信号が出力される。このような書き込み順番での画素１３へのデータ信号の書き込みは、図２１Ｂに示されているように、各水平期間において、制御信号ＲＳＷ２、ＧＳＷ１、ＢＳＷ２、ＲＳＷ１、ＧＳＷ２、ＢＳＷ１を、この順番で活性化することによって達成可能である。極性信号ＰＯＬは、制御信号ＲＳＷ１が活性化されるときに反転される。図２３には、奇数水平期間における画素１３の駆動手順のみが図示されていることに留意されたい。
【０１１０】
第４フレームでは、各画素１３のデータ信号の極性が再度に反転されて画素１３が駆動される：即ち、第４フレームの奇数水平期間では、ＬＣＤドライバ２Ｂは、奇数出力端子Ｓｏｕｒｃｅ１、３、・・・からＲ画素１３Ｒ２、Ｇ画素１３Ｇ１、Ｂ画素１３Ｂ２に供給される正極性のデータ信号を逐次に出力し、その後、Ｒ画素１３Ｒ１、Ｇ画素１３Ｇ２、Ｂ画素１３Ｂ１に供給される負極性のデータ信号を逐次に出力する。一方、偶数出力端子Ｓｏｕｒｃｅ２、４、・・・については、ＬＣＤドライバ２Ｂは、Ｒ画素１３Ｒ３、Ｇ画素１３Ｇ４、Ｂ画素１３Ｂ３に供給される負極性のデータ信号を逐次に出力し、その後、Ｒ画素１３Ｒ４、Ｇ画素１３Ｇ３、Ｂ画素１３Ｂ４に供給される正極性のデータ信号を逐次に出力する。偶数水平期間では、極性が反転された上で同様の順番でデータ信号が出力される。以降のフレームでは、第１〜第４フレームの動作が繰り返して行われる。
【０１１１】
このように、ある周期で、データ信号の極性及び書き込み順番を変更することにより、液晶表示装置の画質を一層に向上させることができる。
【０１１２】
第４の実施形態：
図２４、図２５Ａ、図２５Ｂ、図２６Ａ、図２６Ｂは、本発明の第４の実施形態に係る液晶表示装置の動作を示す図である。第４の実施形態に係る液晶表示装置の構成は、図１８、１９に図示されている、第３の実施形態に係る液晶表示装置の構成と同様である。
【０１１３】
第４の実施形態に係る液晶表示装置の主題は、スイッチ１９のリークによって起こる画素１３に保持される書き込み電圧の変動に起因する縦筋ムラの低減にある。既述のように、書き込み電圧の変動は、先にデータ信号が書き込まれた画素１３ほど顕著である。例えば、画素１３Ｒ１、１３Ｇ１、１３Ｂ１、１３Ｒ２、１３Ｇ２、１３Ｂ２に、この順番でデータ信号が書き込まれたとすると、最も書き込み電圧の変動が大きいのは画素１３Ｒ１であり、最も書き込み電圧の変動が小さいのは画素１３Ｂ２である。
【０１１４】
このことは、データ信号が書き込まれた時刻が時間的に離れていると、画素１３に生じる書き込み電圧の変動の程度が大きく相違するということを意味している。上記の例を用いれば、画素１３Ｒ１、１３Ｇ１には、書き込み電圧の変動の程度が近いのに対し、画素１３Ｒ１、１３Ｂ２における書き込み電圧の変動の程度は大きく相違する。
【０１１５】
最も問題になるのは、同一の色を表示する画素１３に生じる書き込み電圧の変動の程度が大きいことである。なぜなら、同一の色を表示する画素１３に生じる書き込み電圧の変動は、ムラとなって人間の目に認識され得るからである。例えば、Ｒ画素と、Ｇ画素の書き込み電圧の変動の程度の差は、（実際には多少の色の再現性の低下として現れるものの）人間の目には殆ど感知できない。しかし、Ｒ画素１３Ｒ１とＲ画素１３Ｒ２に生じる書き込み電圧の変動は、縦筋ムラとして人間の目に認識されやすい。
【０１１６】
第４の実施形態の液晶表示装置の動作は、ＬＣＤドライバ２の出力端子に生成されるデータ信号の極性を反転させる回数を抑制させると共に、同一の色を表示する画素１３へのデータ信号の書き込みを連続して行うことにより、同一の色を表示する画素１３に生じる書き込み電圧の変動の程度の差に起因する縦筋ムラを抑制することを目的としている。
【０１１７】
具体的には、以下の手順により、画素１３へのデータ信号の書き込みが行われる。図２４を参照して、第１水平期間においてＬＣＤドライバ２Ｂは、奇数出力端子Ｓｏｕｒｃｅ１、３、・・・から（第１ラインに位置する）Ｒ画素１３Ｒ１に供給される正極性のデータ信号を出力し、続いて、Ｒ画素１３Ｒ２、Ｇ画素１３Ｇ１に供給される負極性のデータ信号を出力する。Ｒ画素１３Ｒ１、１３Ｒ２に連続してデータ信号が書き込まれることに留意されたい。更に続いて、ＬＣＤドライバ２Ｂは、奇数出力端子Ｓｏｕｒｃｅ１、３、・・・からＧ画素１３Ｇ２、Ｂ画素１３Ｂ１に供給される正極性のデータ信号を出力し、続いて、Ｂ画素１３Ｂ２に供給される負極性のデータ信号を出力する。Ｇ画素１３Ｇ１、１３Ｇ２に連続してデータ信号が書き込まれ、Ｂ画素１３Ｂ１、１３Ｂ２に連続してデータ信号が書き込まれることに留意されたい。
【０１１８】
一方、偶数出力端子Ｓｏｕｒｃｅ２、４、・・・については、ＬＣＤドライバ２Ｂは、Ｒ画素１３Ｒ４に供給される負極性のデータ信号を出力し、続いて、Ｒ画素１３Ｒ３、Ｇ画素１３Ｇ４に供給される正極性のデータ信号を出力する。Ｒ画素１３Ｒ４、１３Ｒ３に連続してデータ信号が書き込まれることに留意されたい。更に続いて、ＬＣＤドライバ２Ｂは、偶数出力端子Ｓｏｕｒｃｅ２、４、・・・からＧ画素１３Ｇ３、Ｂ画素１３Ｂ４に供給される負極性のデータ信号を出力し、続いて、Ｂ画素１３Ｂ３に供給される正極性のデータ信号を出力する。Ｇ画素１３Ｇ４、１３Ｇ３に連続してデータ信号が書き込まれ、Ｂ画素１３Ｂ４、１３Ｂ３に連続してデータ信号が書き込まれることに留意されたい。
【０１１９】
このような書き込み順番による画素１３への書き込みは、図２５Ａに示されているように、第１水平期間の開始後、制御信号ＲＳＷ１、ＲＳＷ２、ＧＳＷ１、ＧＳＷ２、ＢＳＷ１、ＢＳＷ２を、この順番で活性化することによって達成可能である。極性信号ＰＯＬは、制御信号ＲＳＷ２、ＧＳＷ２、ＢＳＷ２が活性化されるときに反転される。画素１３への書き込みが６回行われるにもかかわらず、第１水平期間では、ＬＣＤドライバ２Ｂの各出力端子の電位は、３回しか反転されないことに留意されたい。
【０１２０】
第２水平期間では、極性が反転された上で同様の順番でデータ信号が出力される；即ち、図２４に示されているように、第２水平期間においてＬＣＤドライバ２Ｂは、奇数出力端子Ｓｏｕｒｃｅ１、３、・・・から（第２ラインに位置する）Ｒ画素１３Ｒ１に供給される負極性のデータ信号を出力し、続いて、Ｒ画素１３Ｒ２、Ｇ画素１３Ｇ１に供給される正極性のデータ信号を出力する。更に続いて、ＬＣＤドライバ２Ｂは、奇数出力端子Ｓｏｕｒｃｅ１、３、・・・からＧ画素１３Ｇ２、Ｂ画素１３Ｂ１に供給される負極性のデータ信号を出力し、続いて、Ｂ画素１３Ｂ２に供給される正極性のデータ信号を出力する。
【０１２１】
一方、偶数出力端子Ｓｏｕｒｃｅ２、４、・・・については、ＬＣＤドライバ２Ｂは、Ｒ画素１３Ｒ４に供給される正極性のデータ信号を出力し、続いて、Ｒ画素１３Ｒ３、Ｇ画素１３Ｇ４に供給される負極性のデータ信号を出力する。更に続いて、ＬＣＤドライバ２Ｂは、偶数出力端子Ｓｏｕｒｃｅ２、４、・・・からＧ画素１３Ｇ３、Ｂ画素１３Ｂ４に供給される正極性のデータ信号を出力し、続いて、Ｂ画素１３Ｂ３に供給される負極性のデータ信号を出力する。
【０１２２】
このような書き込み順番による画素１３への書き込みは、図２５Ａに示されているように、第１２平期間の開始後、制御信号ＲＳＷ１、ＲＳＷ２、ＧＳＷ１、ＧＳＷ２、ＢＳＷ１、ＢＳＷ２を、この順番で活性化することによって達成可能である。極性信号ＰＯＬは、制御信号ＲＳＷ２、ＧＳＷ２、ＢＳＷ２が活性化されるときに反転される。第２水平期間でも、ＬＣＤドライバ２Ｂの各出力端子の電位は、３回しか反転されないことに留意されたい。
【０１２３】
以後の水平期間でも、同様の手順で画素１３が駆動される。奇数水平期間では、第１水平期間と同様の手順で奇数ラインの画素１３が駆動され、偶数水平期間では、第２水平期間と同様の手順で偶数ラインの画素１３が駆動される。
【０１２４】
このような動作は、図２６Ａ、図２６Ｂから理解されるように、隣接する画素１３に逆の極性のデータ信号を書き込む、即ち、ドット反転駆動を実現するものであることに留意されたい。図２６Ａは、図２４の手順に従って第１ラインの画素１３が駆動されたときの、画素１３の書き込み順番及び、各画素１３に書き込まれたデータ信号の極性を示している。第１ラインの画素１３については、奇数番目に位置する画素１３Ｒ１、１３Ｂ１、１３Ｇ２、１３Ｒ３、１３Ｂ３、１３Ｇ４に正極性のデータ信号が、偶数番目に位置する画素１３Ｇ１、１３Ｒ２、１３Ｂ２、１３Ｇ３、１３Ｒ４、１３Ｂ４に負極性のデータ信号が書き込まれる。一方、第２ラインの画素１３については、図２６Ｂに示されているように、奇数番目に位置する画素１３Ｒ１、１３Ｂ１、１３Ｇ２、１３Ｒ３、１３Ｂ３、１３Ｇ４に負極性のデータ信号が、偶数番目に位置する画素１３Ｇ１、１３Ｒ２、１３Ｂ２、１３Ｇ３、１３Ｒ４、１３Ｂ４に正極性のデータ信号が書き込まれる。このように、水平方向、垂直方向のいずれについても、隣接する画素１３に書き込まれるデータ信号の極性は逆である。
【０１２５】
このような手順によれば、いずれの水平期間においても、ＬＣＤドライバ２の各出力端子に生成されるデータ信号の極性は、３回しか反転されない。これは、ＬＣＤドライバ２の消費電力を有効に低減させる。
【０１２６】
加えて、本実施形態に係る液晶表示装置では、同一の色を表示する画素１３に連続してデータ信号の書き込みが行われるため、同一の色を表示する画素１３に生じる書き込み電圧の変動の程度の差を小さくすることができる。これは、画素１３の書き込み電圧の変動に起因する縦筋ムラを抑制するために有効である。
【０１２７】
第３の実施形態と同様に、本実施形態においても、ある周期でデータ信号の極性及び書き込み順番が変更されることが画質の向上のために好適である。詳細には、図２７に示されているように、各画素１３に書き込まれるデータ信号の極性が各フレームで反転され、画素１３の書き込み順番が、２フレーム毎に変更される。
【０１２８】
より具体的には、第１フレームでは、上述された手順で画素１３が駆動され、第２フレームでは、各画素１３のデータ信号の極性が反転されて画素１３が駆動される。
【０１２９】
第３フレームでは、各画素１３のデータ信号の極性が再度に反転される（即ち、各画素１３が、第１フレームと同一の極性のデータ信号で駆動される）と共に、画素１３の書き込み順番が変更される。具体的には、同一の色を表示する画素１３の間で書き込み順番が入れ替えられる。
【０１３０】
詳細には、第３フレームの奇数水平期間においてＬＣＤドライバ２Ｂは、奇数出力端子Ｓｏｕｒｃｅ１、３、・・・からＲ画素１３Ｒ２に供給される負極性のデータ信号を出力し、続いて、Ｒ画素１３Ｒ１、Ｇ画素１３Ｇ２に供給される正極性のデータ信号を出力する。Ｒ画素１３Ｒ２、１３Ｒ１に連続してデータ信号が書き込まれることに留意されたい。更に続いて、ＬＣＤドライバ２Ｂは、奇数出力端子Ｓｏｕｒｃｅ１、３、・・・からＧ画素１３Ｇ１、Ｂ画素１３Ｂ２に供給される負極性のデータ信号を出力し、続いて、Ｂ画素１３Ｂ１に供給される正極性のデータ信号を出力する。Ｇ画素１３Ｇ２、１３Ｇ１に連続してデータ信号が書き込まれ、Ｂ画素１３Ｂ２、１３Ｂ１に連続してデータ信号が書き込まれることに留意されたい。
【０１３１】
一方、偶数出力端子Ｓｏｕｒｃｅ２、４、・・・については、ＬＣＤドライバ２Ｂは、Ｒ画素１３Ｒ３に供給される正極性のデータ信号を出力し、続いて、Ｒ画素１３Ｒ４、Ｇ画素１３Ｇ３に供給される負極性のデータ信号を出力する。Ｒ画素１３Ｒ３、１３Ｒ４に連続してデータ信号が書き込まれることに留意されたい。更に続いて、ＬＣＤドライバ２Ｂは、偶数出力端子Ｓｏｕｒｃｅ２、４、・・・からＧ画素１３Ｇ４、Ｂ画素１３Ｂ３に供給される正極性のデータ信号を出力し、続いて、Ｂ画素１３Ｂ４に供給される負極性のデータ信号を出力する。Ｇ画素１３Ｇ３、１３Ｇ４に連続してデータ信号が書き込まれ、Ｂ画素１３Ｂ３、１３Ｂ４に連続してデータ信号が書き込まれることに留意されたい。
【０１３２】
第３フレームの偶数水平期間では、データ信号の極性が反転された上で奇数水平期間と同様の書き込み動作が行われる。
【０１３３】
このような書き込み順番による画素１３への書き込みは、図２５Ｂに示されているように、各水平期間において、制御信号ＲＳＷ２、ＲＳＷ１、ＧＳＷ２、ＧＳＷ１、ＢＳＷ２、ＢＳＷ１を、この順番で活性化することによって達成可能である。極性信号ＰＯＬは、制御信号ＲＳＷ１、ＧＳＷ１、ＢＳＷ１が活性化されるときに反転される。画素１３への書き込みが６回行われるにもかかわらず、各水平期間においてＬＣＤドライバ２Ｂの各出力端子の電位は、３回しか反転されないことに留意されたい。
【０１３４】
第４フレームでは、各画素１３のデータ信号の極性が再度に反転された上で、第３フレームと同一の書き込み順番で各画素１３へのデータ信号の書き込みが行われる。以降のフレームでは、第１〜第４フレームの動作が繰り返して行われる。
【０１３５】
このように、本実施形態では、４フレーム周期でデータ信号の極性及び書き込み順番が変更されることにより、画質が有効に向上される。
【０１３６】
第５の実施形態：
図２８は、本発明の第５の実施形態に係る液晶表示装置の構成を示す図である。第５の実施形態に係る液晶表示装置では、ＬＣＤパネル２Ｃにおける配線を変更することにより、ＬＣＤドライバ２Ｂの各出力端子におけるデータ信号の反転の回数が減少される。これにともない、ＬＣＤドライバ２Ｂの動作も変更される。
【０１３７】
具体的には、第５の実施形態に係る液晶表示装置では、各入力ノード１７は、同一の極性のデータ信号が書き込まれる画素１３に対応するデータ線１２が（スイッチ１９を介して）接続される。詳細には、奇数番目に位置するデータ線１２Ｒ１、１２Ｂ１、１２Ｇ２、１２Ｒ３、１２Ｂ３、１２Ｇ４が、それぞれ、スイッチ１９Ｒ１、１９Ｂ１、１９Ｇ２、１９Ｒ３、１９Ｂ３、１９Ｇ４を介して奇数入力ノード１７Ｏに接続される。更に、偶数番目に位置するデータ線１２Ｇ１、１２Ｒ２、１２Ｂ２、１２Ｇ３、１２Ｒ４、１２Ｂ４が、それぞれ、スイッチ１９Ｇ１、１９Ｒ２、１９Ｂ２、１９Ｇ３、１９Ｒ４、１９Ｂ４を介して偶数入力ノード１７Ｅに接続される。
【０１３８】
スイッチ１９Ｒ１、１９Ｇ１、１９Ｂ１は、それぞれ、制御信号ＲＳＷ１、ＧＳＷ１、ＢＳＷ１を供給するための配線１８１、１８２、１８３に接続されている。スイッチ１９Ｒ２、１９Ｇ２、１９Ｂ２も、制御信号ＲＳＷ１、ＧＳＷ１、ＢＳＷ１を供給するための配線１８１、１８２、１８３にそれぞれに接続されている。一方、スイッチ１９Ｒ３、１９Ｇ３、１９Ｂ３は、それぞれ、制御信号ＲＳＷ２、ＧＳＷ２、ＢＳＷ２を供給するための配線１８４、１８５、１８６に接続されている。スイッチ１９Ｒ４、１９Ｇ４、１９Ｂ４も、制御信号ＲＳＷ２、ＧＳＷ２、ＢＳＷ２を供給するための配線１８４、１８５、１８６にそれぞれに接続されている。
【０１３９】
奇数番目に位置するデータ線１２を奇数入力ノード１７Ｏに接続し、偶数番目に位置するデータ線１２を偶数入力ノード１７Ｅに接続する構成を採用することにより、第５の実施形態に係る液晶表示装置では、各水平期間の中途で、ＬＣＤドライバ２Ｂの各出力端子の極性を反転する必要がなくなる。
【０１４０】
具体的には、図２９に示されているように、第１水平期間においてＬＣＤドライバ２Ｂは、奇数出力端子Ｓｏｕｒｃｅ１、３、・・・から（第１ラインに位置する）Ｒ画素１３Ｒ１、Ｇ画素１３Ｇ２、Ｂ画素１３Ｂ１、Ｒ画素１３Ｒ３、Ｇ画素１３Ｇ４、Ｂ画素１３Ｂ３に供給される正極性のデータ信号をこの順で順次に出力する。一方、偶数出力端子Ｓｏｕｒｃｅ２、４、・・・については、ＬＣＤドライバ２Ｂは、Ｒ画素１３Ｒ２、Ｇ画素１３Ｇ１、Ｂ画素１３Ｂ２、Ｒ画素１３Ｒ４、Ｇ画素１３Ｇ３、Ｂ画素１３Ｂ４に供給される負極性のデータ信号をこの順で順次に出力する。
【０１４１】
第２水平期間では、ＬＣＤドライバ２Ｂは、奇数出力端子Ｓｏｕｒｃｅ１、３、・・・から（第２ラインに位置する）Ｒ画素１３Ｒ１、Ｇ画素１３Ｇ２、Ｂ画素１３Ｂ１、Ｒ画素１３Ｒ３、Ｇ画素１３Ｇ４、Ｂ画素１３Ｂ３に供給される負極性のデータ信号をこの順で順次に出力する。一方、偶数出力端子Ｓｏｕｒｃｅ２、４、・・・については、ＬＣＤドライバ２Ｂは、Ｒ画素１３Ｒ２、Ｇ画素１３Ｇ１、Ｂ画素１３Ｂ２、Ｒ画素１３Ｒ４、Ｇ画素１３Ｇ３、Ｂ画素１３Ｂ４に供給される正極性のデータ信号をこの順で順次に出力する。
【０１４２】
このような書き込み順番による画素１３への書き込みは、各水平期間において、制御信号ＲＳＷ１、ＧＳＷ１、ＢＳＷ１、ＲＳＷ２、ＧＳＷ２、ＢＳＷ２を、この順番で活性化することによって達成可能である。極性信号ＰＯＬは、各水平期間の開始時に反転される。これにより、ＬＣＤドライバ２Ｂの各出力端子の電位は、各水平期間の開始時にのみ反転される。
【０１４３】
このような動作は、図３０Ａ、図３０Ｂから理解されるように、隣接する画素１３に逆の極性のデータ信号を書き込む、即ち、ドット反転駆動を実現するものであることに留意されたい。図３０Ａは、図２９の手順に従って第１ラインの画素１３が駆動されたときの、画素１３の書き込み順番及び、各画素１３に書き込まれたデータ信号の極性を示している。第１ラインの画素１３については、奇数番目に位置する画素１３Ｒ１、１３Ｂ１、１３Ｇ２、１３Ｒ３、１３Ｂ３、１３Ｇ４に正極性のデータ信号が、偶数番目に位置する画素１３Ｇ１、１３Ｒ２、１３Ｂ２、１３Ｇ３、１３Ｒ４、１３Ｂ４に負極性のデータ信号が書き込まれる。一方、第２ラインの画素１３については、図３０Ｂに示されているように、奇数番目に位置する画素１３Ｒ１、１３Ｂ１、１３Ｇ２、１３Ｒ３、１３Ｂ３、１３Ｇ４に負極性のデータ信号が、偶数番目に位置する画素１３Ｇ１、１３Ｒ２、１３Ｂ２、１３Ｇ３、１３Ｒ４、１３Ｂ４に正極性のデータ信号が書き込まれる。このように、水平方向、垂直方向のいずれについても、隣接する画素１３に書き込まれるデータ信号の極性は逆である。
【０１４４】
以後の水平期間でも、同様の手順で画素１３が駆動される。奇数水平期間では、第１水平期間と同様の手順で奇数ラインの画素１３が駆動され、偶数水平期間では、第２水平期間と同様の手順で偶数ラインの画素１３が駆動される。
【０１４５】
第３、第４の実施形態と同様に、本実施形態においてもある周期でデータ信号の極性及び書き込み順番が変更されることが画質の向上のために好適である。詳細には、図３１に示されているように、各画素１３に書き込まれるデータ信号の極性が各フレームで反転され、画素１３の書き込み順番が、２フレーム毎に変更される。
【０１４６】
より具体的には、第１フレームでは、上述された手順で画素１３が駆動され、第２フレームでは、各画素１３のデータ信号の極性が反転されて画素１３が駆動される。
【０１４７】
第３フレームでは、各画素１３のデータ信号の極性が再度に反転される（即ち、各画素１３が、第１フレームと同一の極性のデータ信号で駆動される）と共に、画素１３の書き込み順番が変更される。
【０１４８】
詳細には、図３１に示されているように、第３フレームの奇数水平期間においてＬＣＤドライバ２Ｂは、奇数出力端子Ｓｏｕｒｃｅ１、３、・・・から（第１ラインに位置する）Ｒ画素１３Ｒ３、Ｇ画素１３Ｇ４、Ｂ画素１３Ｂ３、Ｒ画素１３Ｒ１、Ｇ画素１３Ｇ２、Ｂ画素１３Ｂ１に供給される正極性のデータ信号を、この順で順次に出力する。一方、偶数出力端子Ｓｏｕｒｃｅ２、４、・・・については、ＬＣＤドライバ２Ｂは、Ｒ画素１３Ｒ４、Ｇ画素１３Ｇ３、Ｂ画素１３Ｂ４、Ｒ画素１３Ｒ２、Ｇ画素１３Ｇ１、Ｂ画素１３Ｂ２、に供給される負極性のデータ信号をこの順で順次に出力する。第３フレームの偶数水平期間では、データ信号の極性を反転した上で同じ書き込み順番で画素１３へのデータ信号の書き込みを行う。
【０１４９】
第４フレームでは、各画素１３のデータ信号の極性が再度に反転された上で、第３フレームと同一の書き込み順番で各画素１３へのデータ信号の書き込みが行われる。以降のフレームでは、第１〜第４フレームの動作が繰り返して行われる。
【０１５０】
このように、本実施形態では、４フレーム周期でデータ信号の極性及び書き込み順番が変更されることにより、画質が有効に向上される。
【０１５１】
一層にＬＣＤドライバ２Ｂの各出力端子におけるデータ信号の反転の回数を減少させるためには、図３２に示されているように、奇数ラインの画素１３を先に駆動した後で、偶数ラインの画素１３を駆動することが好適である。第５の実施形態では、奇数ラインの画素１３にデータ信号が書き込まれる場合には、奇数出力端子Ｓｏｕｒｃｅ１、３・・・は正極性のデータ信号を連続して出力し、偶数出力端子Ｓｏｕｒｃｅ２、４・・・は負極性のデータ信号を連続して出力する。一方、偶数ラインの画素１３にデータ信号が書き込まれる場合には、奇数出力端子Ｓｏｕｒｃｅ１、３・・・は負極性のデータ信号を連続して出力し、偶数出力端子Ｓｏｕｒｃｅ２、４・・・は正極性のデータ信号を連続して出力する。したがって、奇数ラインの画素１３を先に駆動した後で、偶数ラインの画素１３を駆動する（又は、偶数ラインの画素１３を先に駆動した後で、奇数ラインの画素１３を駆動する）ことにより、ＬＣＤドライバ２Ｂの各出力端子におけるデータ信号の反転の回数を一層に減少させることができる。
【０１５２】
図３３Ａ〜図３３Ｄは、このような動作を実現するための動作タイミングを示すタイミングチャートである。図３３Ａに示されているように、第１フレームの前半の各水平期間では、奇数番目のゲート線１１１、１１３、・・・が順次に活性化され、これにより、奇数ラインの画素１３が順次に選択される。各水平期間では、制御信号ＲＳＷ１、ＧＳＷ１、ＢＳＷ１、ＲＳＷ２、ＧＳＷ２、ＢＳＷ２が、この順番で活性化される。奇数出力端子Ｓｏｕｒｃｅ１、３・・・は正極性のデータ信号を連続して出力し、偶数出力端子Ｓｏｕｒｃｅ１、３・・・は負極性のデータ信号を連続して出力する。これにより、奇数ラインの画素１３へのデータ信号の書き込みが完了する。
【０１５３】
図３３Ｂに示されているように、全ての奇数ラインの画素１３へのデータ信号の書き込みが完了した後、偶数番目のゲート線１１２、１１４、・・・が順次に活性化され、これにより、偶数ラインの画素１３が順次に選択される。各水平期間では、制御信号ＲＳＷ１、ＧＳＷ１、ＢＳＷ１、ＲＳＷ２、ＧＳＷ２、ＢＳＷ２が、この順番で活性化される。奇数出力端子Ｓｏｕｒｃｅ１、３・・・は負極性のデータ信号を連続して出力し、偶数出力端子Ｓｏｕｒｃｅ２、４・・・は正極性のデータ信号を連続して出力する。これにより偶数ラインの画素１３へのデータ信号の書き込みが完了する。
【０１５４】
第２フレームでは、各画素１３に書き込まれるデータ信号の極性が反転された上で、第１フレームと同様の手順によってデータ信号の書き込みが行われる。
【０１５５】
第３フレームでは、各水平期間における書き込み順番が変更される。具体的には、各水平期間において、制御信号ＲＳＷ２、ＧＳＷ２、ＢＳＷ２、ＲＳＷ１、ＧＳＷ１、ＢＳＷ１が、この順番で活性化される。各画素１３に書き込まれるデータ信号の極性は第２フレームと同一である。各水平期間における書き込み順番が変更されることにより、画素１３に保持される書き込み電圧の変動に起因する縦筋ムラが抑制される。
【０１５６】
第４フレームでは、各画素１３に書き込まれるデータ信号の極性が反転された上で、第３フレームと同様の手順によってデータ信号の書き込みが行われる。以降のフレームでは、第１〜第４フレームの動作が繰り返して行われる。
【０１５７】
以上に説明されているように、本実施形態の液晶表示装置では、奇数ラインの画素１３を先に駆動した後で、偶数ラインの画素１３を駆動する（又は、偶数ラインの画素１３を先に駆動した後で、奇数ラインの画素１３を駆動する）ことにより、ＬＣＤドライバ２Ｂの各出力端子におけるデータ信号の反転の回数を一層に減少させることができる。これは、ＬＣＤドライバ２Ｂの消費電力を一層に低減させるために有効である。
【０１５８】
第６の実施形態：
図３４は、本発明の第６の実施形態に係る液晶表示装置の構成を示す図である。第６の実施形態に係る液晶表示装置の構成は、第５の実施形態とほぼ同様である；奇数番目に位置するデータ線１２Ｒ１、１２Ｂ１、１２Ｇ２、１２Ｒ３、１２Ｂ３、１２Ｇ４が、奇数入力ノード１７Ｏに接続され、偶数番目に位置するデータ線１２Ｇ１、１２Ｒ２、１２Ｂ２、１２Ｇ３、１２Ｒ４、１２Ｂ４が、偶数入力ノード１７Ｅに接続される。このような接続が、ＬＣＤドライバ２Ｂの各出力端子におけるデータ信号の反転の回数を一層に減少させ、ＬＣＤドライバ２Ｂの消費電力を一層に低減させるために有効であることは上述されたとおりである。
【０１５９】
相違点は、第６の実施形態に係る液晶表示装置では、隣接する２本のデータ線１２が同時に駆動されるようにＬＣＤパネル２Ｄの配線が変更されている点にある。具体的には、スイッチ１９Ｒ１、１９Ｇ１が制御信号ＲＳＷ１を供給するための配線１８１に接続され、スイッチ１９Ｂ１、１９Ｒ２が制御信号ＧＳＷ１を供給するための配線１８２に接続される。更に、スイッチ１９Ｇ２、１９Ｂ２が制御信号ＢＳＷ１を供給するための配線１８３に接続され、スイッチ１９Ｒ３、１９Ｇ３が制御信号ＲＳＷ２を供給するための配線１８４に接続される。そしてスイッチ１９Ｂ３、１９Ｒ４が制御信号ＧＳＷ２を供給するための配線に接続され、スイッチ１９Ｇ４、１９Ｂ４が制御信号ＢＳＷ２を供給するための配線に接続される。このような配線によれば、例えば制御信号ＲＳＷ１を活性化することにより、隣接するデータ線１２Ｒ１、１２Ｇ１を駆動することができる。他の制御信号についても同様である。
【０１６０】
図３５Ａ、図３５Ｂは、隣接する２本のデータ線１２が同時に駆動されることの技術的意義を説明する図である。２本のデータ線１２の一方が正の極性のデータ信号で、他方が負の極性のデータ信号で駆動されると、データ線１２とコモン電極１６の間の容量カップリングにより、コモン電極１６を介して当該２本のデータ線１２の間で電流が流れる。
【０１６１】
このとき、例えば、図２８に示されているＬＣＤパネル２Ｃのように、離れたデータ線１２（図３５Ａでは、データ線１２Ｒ１と１２Ｒ２）を同時に駆動すると、コモン電極１６上の電流が流れる距離が増大し、これは、大きな電圧降下を発生させる。大きな電圧降下の発生は、コモン電極１６の電位の局所的な変動を招き好ましくない。
【０１６２】
一方、本実施形態のＬＣＤパネル２Ｄでは、隣接したデータ線１２（図３５Ｂでは、データ線１２Ｒ１、１２Ｇ１）を同時に駆動することにより、コモン電極１６上の電流が流れる距離を短縮することができ、従って、コモン電極１６における電圧降下を小さくすることができる。これは、コモン電極１６の電位の局所的な変動を防ぐために有効である。
【０１６３】
以下では、本実施形態の液晶表示装置の動作を詳細に説明する。図３４に示されているように、本実施形態の液晶表示装置でも、第５の実施形態と同様に、ＬＣＤドライバ２Ｂは、その各出力端子に生成されるデータ信号の極性を各水平期間の開始時にのみ反転する。具体的には、図２９に示されているように、第１水平期間においてＬＣＤドライバ２Ｂは、奇数出力端子Ｓｏｕｒｃｅ１、３、・・・から（第１ラインに位置する）Ｒ画素１３Ｒ１、Ｂ画素１３Ｂ１、Ｇ画素１３Ｇ２、Ｒ画素１３Ｒ３、Ｇ画素１３Ｇ３、Ｂ画素１３Ｂ４に供給される正極性のデータ信号をこの順で順次に出力する。一方、偶数出力端子Ｓｏｕｒｃｅ２、４、・・・については、ＬＣＤドライバ２Ｂは、Ｇ画素１３Ｇ１、Ｒ画素１３Ｒ２、Ｂ画素１３Ｂ２、Ｇ画素１３Ｇ３、Ｒ画素１３Ｒ４、Ｂ画素１３Ｂ４に供給される負極性のデータ信号をこの順で順次に出力する。
【０１６４】
第２水平期間では、ＬＣＤドライバ２Ｂは、奇数出力端子Ｓｏｕｒｃｅ１、３、・・・から（第２ラインに位置する）Ｒ画素１３Ｒ１、Ｂ画素１３Ｂ１、Ｇ画素１３Ｇ２、Ｒ画素１３Ｒ３、Ｇ画素１３Ｇ３、Ｂ画素１３Ｂ４に供給される負極性のデータ信号をこの順で順次に出力する。一方、偶数出力端子Ｓｏｕｒｃｅ２、４、・・・については、ＬＣＤドライバ２Ｂは、Ｇ画素１３Ｇ１、Ｒ画素１３Ｒ２、Ｂ画素１３Ｂ２、Ｇ画素１３Ｇ３、Ｒ画素１３Ｒ４、Ｂ画素１３Ｂ４に供給される正極性のデータ信号をこの順で順次に出力する。
【０１６５】
注目すべきことは、奇数出力端子Ｓｏｕｒｃｅ１及び偶数出力端子Ｓｏｕｒｃｅ２から出力されるデータ信号は、常に、隣接するデータ線１２に接続された画素１３に書き込まれることである。例えば、図３７Ａを参照して、第１水平期間において奇数出力端子Ｓｏｕｒｃｅ１からＲ画素１３Ｒ１に書き込まれるデータ信号が出力される場合、偶数出力端子Ｓｏｕｒｃｅ２からは、Ｒ画素１３Ｒ１に隣接するＧ画素１３Ｇ１に書き込まれるデータ信号が供給される。これにより、コモン電極１６の電位の局所的変動が防がれることは、上述されたとおりである。
【０１６６】
このような書き込み順番による画素１３への書き込みは、各水平期間において、制御信号ＲＳＷ１、ＧＳＷ１、ＢＳＷ１、ＲＳＷ２、ＧＳＷ２、ＢＳＷ２を、この順番で活性化することによって達成可能である。極性信号ＰＯＬは、各水平期間の開始時に反転される。ＬＣＤドライバ２Ｂの各出力端子の電位は、各水平期間の開始時にのみ反転される。
【０１６７】
このような動作は、図３７Ａ、図３７Ｂから理解されるように、隣接する画素１３に逆の極性のデータ信号を書き込む、即ち、ドット反転駆動を実現するものであることに留意されたい。図３７Ａは、図３６の手順に従って第１ラインの画素１３が駆動されたときの、画素１３の書き込み順番及び、各画素１３に書き込まれたデータ信号の極性を示している。第１ラインの画素１３については、奇数番目に位置する画素１３Ｒ１、１３Ｂ１、１３Ｇ２、１３Ｒ３、１３Ｂ３、１３Ｇ４に正極性のデータ信号が、偶数番目に位置する画素１３Ｇ１、１３Ｒ２、１３Ｂ２、１３Ｇ３、１３Ｒ４、１３Ｂ４に負極性のデータ信号が書き込まれる。一方、第２ラインの画素１３については、図３７Ｂに示されているように、奇数番目に位置する画素１３Ｒ１、１３Ｂ１、１３Ｇ２、１３Ｒ３、１３Ｂ３、１３Ｇ４に負極性のデータ信号が、偶数番目に位置する画素１３Ｇ１、１３Ｒ２、１３Ｂ２、１３Ｇ３、１３Ｒ４、１３Ｂ４に正極性のデータ信号が書き込まれる。このように、水平方向、垂直方向のいずれについても、隣接する画素１３に書き込まれるデータ信号の極性は逆である。
【０１６８】
以後の水平期間でも、同様の手順で画素１３が駆動される。奇数水平期間では、第１水平期間と同様の手順で奇数ラインの画素１３が駆動され、偶数水平期間では、第２水平期間と同様の手順で偶数ラインの画素１３が駆動される。
【０１６９】
第３〜第５の実施形態と同様に、本実施形態においてもある周期でデータ信号の極性及び書き込み順番が変更されることが画質の向上のために好適である。詳細には、図３８に示されているように、各画素１３に書き込まれるデータ信号の極性が各フレームで反転され、画素１３の書き込み順番が、２フレーム毎に変更される。
【０１７０】
より具体的には、第１フレームでは、上述された手順で画素１３が駆動され、第２フレームでは、各画素１３のデータ信号の極性が反転されて画素１３が駆動される。
【０１７１】
第３フレームでは、各画素１３のデータ信号の極性が再度に反転される（即ち、各画素１３が、第１フレームと同一の極性のデータ信号で駆動される）と共に、画素１３の書き込み順番が変更される。
【０１７２】
詳細には、図３８に示されているように、第３フレームの奇数水平期間においてＬＣＤドライバ２Ｂは、奇数出力端子Ｓｏｕｒｃｅ１、３、・・・から（第１ラインに位置する）
Ｒ画素１３Ｒ３、Ｇ画素１３Ｇ３、Ｂ画素１３Ｂ４、Ｒ画素１３Ｒ１、Ｂ画素１３Ｂ１、Ｇ画素１３Ｇ２に供給される正極性のデータ信号を、この順で順次に出力する。一方、偶数出力端子Ｓｏｕｒｃｅ２、４、・・・については、ＬＣＤドライバ２Ｂは、Ｇ画素１３Ｇ３、Ｒ画素１３Ｒ４、Ｂ画素１３Ｂ４、Ｇ画素１３Ｇ１、Ｒ画素１３Ｒ２、Ｂ画素１３Ｂ２に供給される負極性のデータ信号をこの順で順次に出力する。第３フレームの偶数水平期間では、データ信号の極性を反転した上で同じ書き込み順番で画素１３へのデータ信号の書き込みを行う。
【０１７３】
第４フレームでは、各画素１３のデータ信号の極性が再度に反転された上で、第３フレームと同一の書き込み順番で各画素１３へのデータ信号の書き込みが行われる。以降のフレームでは、第１〜第４フレームの動作が繰り返して行われる。
【０１７４】
このように、本実施形態においても、４フレーム周期でデータ信号の極性及び書き込み順番が変更されることによって画質を向上することができる。
【０１７５】
第７の実施形態：
図３９は、本発明の第７の実施形態に係る液晶表示装置の構成を示す図である。第７の実施形態に係る液晶表示装置の構成は、第５、第６の実施形態とほぼ同様である；奇数番目に位置するデータ線１２Ｒ１、１２Ｂ１、１２Ｇ２、１２Ｒ３、１２Ｂ３、１２Ｇ４が、奇数入力ノード１７Ｏに接続され、偶数番目に位置するデータ線１２Ｇ１、１２Ｒ２、１２Ｂ２、１２Ｇ３、１２Ｒ４、１２Ｂ４が、偶数入力ノード１７Ｅに接続される。このような接続が、ＬＣＤドライバ２Ｂの各出力端子におけるデータ信号の反転の回数を一層に減少させ、ＬＣＤドライバ２Ｂの消費電力を一層に低減させるために有効であることは上述されたとおりである。
【０１７６】
相違点は、スイッチ１９と、制御信号ＲＳＷ１、ＧＳＷ１、ＢＳＷ１、ＲＳＷ２、ＧＳＷ２、ＢＳＷ２を供給する配線１８１〜１８６との間の接続関係、即ち、同時に駆動される２本のデータ線１２の組み合わせの点にある。第７の実施形態では、スイッチ１９と配線１８１〜１８６の間の接続関係は下記の条件（１）（２）を満足するように決定される：
（１）１２本のデータ線１２に、隣接する２本のデータ線１２の対が４つ規定され、同一対に属するデータ線１２が同時に駆動される。（２）データ線１２の対の間には、それらのデータ線１２の対と同時に駆動されない一本のデータ線１２が設けられる。
【０１７７】
詳細には、スイッチ１９Ｒ１、１９Ｇ１が制御信号ＲＳＷ１を供給するための配線１８１に接続され、スイッチ１９Ｒ２、１９Ｇ２が制御信号ＧＳＷ１を供給するための配線１８２に接続される。更に、スイッチ１９Ｒ３、１９Ｇ３が制御信号ＢＳＷ１を供給するための配線１８３に接続され、スイッチ１９Ｒ４、１９Ｇ４が制御信号ＲＳＷ２を供給するための配線１８４に接続される。そして、スイッチ１９Ｂ１、１９Ｂ２が制御信号ＧＳＷ２を供給するための配線１８３に接続され、スイッチ１９Ｂ３、１９Ｂ４が制御信号ＢＳＷ２を供給するための配線１８４に接続される。
【０１７８】
以下の説明において、４つのデータ線１２の対のいずれかに属するデータ線を、以下では、対駆動データ線と呼ぶことにする。本実施形態では、データ線１２Ｒ１〜１２Ｒ４、１２Ｇ１〜１２Ｇ４が対駆動データ線である。一方、４つのデータ線１２の対に属しないデータ線を、以下では、孤立データ線と呼ぶことにする。本実施形態では、データ線１２Ｂ１〜１２Ｂ４が孤立データ線である。
【０１７９】
図４０、図４１Ａ、図４１Ｂは、本実施形態の液晶表示装置の動作を説明する図である。図４０に示されているように、本実施形態の液晶表示装置でも、第５、第６の実施形態と同様に、ＬＣＤドライバ２Ｂは、その各出力端子に生成されるデータ信号の極性を各水平期間の開始時にのみ反転する。具体的には、図３７に示されているように、第１水平期間においてＬＣＤドライバ２Ｂは、奇数出力端子Ｓｏｕｒｃｅ１、３、・・・から（第１ラインに位置する）Ｒ画素１３Ｒ１、Ｇ画素１３Ｇ２、Ｒ画素１３Ｒ３、Ｇ画素１３Ｇ４、Ｂ画素１３Ｂ１、Ｂ画素１３Ｂ３に供給される正極性のデータ信号をこの順で順次に出力する。一方、偶数出力端子Ｓｏｕｒｃｅ２、４、・・・については、ＬＣＤドライバ２Ｂは、Ｇ画素１３Ｇ１、Ｒ画素１３Ｒ２、Ｇ画素１３Ｇ３、Ｒ画素１３Ｒ４、Ｂ画素１３Ｂ２、Ｂ画素１３Ｂ４に供給される負極性のデータ信号をこの順で順次に出力する。
【０１８０】
第２水平期間では、ＬＣＤドライバ２Ｂは、奇数出力端子Ｓｏｕｒｃｅ１、３、・・・から（第２ラインに位置する）Ｒ画素１３Ｒ１、Ｇ画素１３Ｇ２、Ｒ画素１３Ｒ３、Ｇ画素１３Ｇ４、Ｂ画素１３Ｂ１、Ｂ画素１３Ｂ３に供給される負極性のデータ信号をこの順で順次に出力する。一方、偶数出力端子Ｓｏｕｒｃｅ２、４、・・・については、ＬＣＤドライバ２Ｂは、Ｇ画素１３Ｇ１、Ｒ画素１３Ｒ２、Ｇ画素１３Ｇ３、Ｒ画素１３Ｒ４、Ｂ画素１３Ｂ２、Ｂ画素１３Ｂ４に供給される正極性のデータ信号をこの順で順次に出力する。
【０１８１】
このような書き込み順番による画素１３への書き込みは、各水平期間において、制御信号ＲＳＷ１、ＧＳＷ１、ＢＳＷ１、ＲＳＷ２、ＧＳＷ２、ＢＳＷ２を、この順番で活性化することによって達成可能である。極性信号ＰＯＬは、各水平期間の開始時に反転される。ＬＣＤドライバ２Ｂの各出力端子の電位は、各水平期間の開始時にのみ反転される。
【０１８２】
このような動作は、図４１Ａ、図４１Ｂから理解されるように、隣接する画素１３に逆の極性のデータ信号を書き込む、即ち、ドット反転駆動を実現するものであることに留意されたい。図４１Ａは、図４０の手順に従って第１ラインの画素１３が駆動されたときの、画素１３の書き込み順番及び、各画素１３に書き込まれたデータ信号の極性を示している。第１ラインの画素１３については、奇数番目に位置する画素１３Ｒ１、１３Ｂ１、１３Ｇ２、１３Ｒ３、１３Ｂ３、１３Ｇ４に正極性のデータ信号が、偶数番目に位置する画素１３Ｇ１、１３Ｒ２、１３Ｂ２、１３Ｇ３、１３Ｒ４、１３Ｂ４に負極性のデータ信号が書き込まれる。一方、第２ラインの画素１３については、図４１Ｂに示されているように、奇数番目に位置する画素１３Ｒ１、１３Ｂ１、１３Ｇ２、１３Ｒ３、１３Ｂ３、１３Ｇ４に負極性のデータ信号が、偶数番目に位置する画素１３Ｇ１、１３Ｒ２、１３Ｂ２、１３Ｇ３、１３Ｒ４、１３Ｂ４に正極性のデータ信号が書き込まれる。このように、水平方向、垂直方向のいずれについても、隣接する画素１３に書き込まれるデータ信号の極性は逆である。
【０１８３】
注目すべきことは、図４０に示されているように、対駆動データ線に接続されている画素１３が、孤立データ線に接続されている画素１３よりも先に駆動されていることである；即ち、対駆動データ線であるデータ線１２Ｒ１〜１２Ｒ４、１２Ｇ１〜１２Ｇ４は、孤立データ線１２Ｂ１〜１２Ｂ４よりも先に駆動されている。
【０１８４】
以後の水平期間でも、同様の手順で画素１３が駆動される。奇数水平期間では、第１水平期間と同様の手順で奇数ラインの画素１３が駆動され、偶数水平期間では、第２水平期間と同様の手順で偶数ラインの画素１３が駆動される。
【０１８５】
上述された動作の利点は、データ線１２の間の容量カップリングによる、データ線１２の電位の変動を抑制できることである。既述のように、あるデータ線１２の画素１３にデータ信号が書き込まれた後、それに隣接するデータ線１２の画素１３にデータ信号が書き込まれると、データ線１２の間の容量カップリングにより、先にデータ信号が書き込まれた画素１３に接続されたデータ線１２の電位が変動する。これは、先にデータ信号が書き込まれた画素１３に保持されている書き込み電圧を不所望に変動させる。しかしながら、上述の動作によれば、各データ線１２は、それに隣接する２本のデータ線１２のうちの片方のデータ線１２からの容量カップリングによる影響しか受けないか、あるいは、いずれのデータ線１２からの容量カップリングの影響も受けない。これは、容量カップリングによるデータ線１２の電位の変動を各水平期間において最高でも一回に抑制し、これにより、画素１３に保持されている書き込み電圧の変動を抑制する。
【０１８６】
以下、本実施形態の液晶表示装置の動作によってデータ線１２の間の容量カップリングによる画素１３に保持されている書き込み電圧の変動を抑制できる理由を、図４３Ａを参照して説明する。まず、対駆動データ線であるデータ線１２について述べれば、上記の動作によれば、対駆動データ線であるデータ線１２は、それに隣接する孤立データ線との間の容量カップリングの影響しか受けない；言い換えれば、対駆動データ線であるデータ線１２のそれぞれは、同一の対に属するデータ線１２との間の容量カップリングの影響を受けない。なぜなら、同一の対に属するデータ線１２は同時に駆動されるため、それらの間の容量カップリングは画素１３に保持されている書き込み電圧を変動させないからである。
【０１８７】
例えば、図４３Ａを参照して、データ線１２Ｒ１、１２Ｇ１は、互いに隣接する対駆動データ線である。そして、データ線１２Ｒ１、１２Ｇ１は、同時に駆動されるため、言い換えれば、データ線１２Ｒ１、１２Ｇ１に接続されている画素１３Ｒ１、１３Ｇ１は、データ線１２Ｒ１、１２Ｇ１の間の容量カップリングによる影響を受けない。データ線１２Ｒ１に接続されている画素１３Ｒ１に、容量カップリングによる影響を及ぼすのは、データ線１２Ｒ１に隣接する孤立データ線１２Ｂ４のみである。同様に、データ線１２Ｇ１に接続されている画素１３Ｇ１に、容量カップリングによる影響を及ぼすのは、データ線１２Ｇ１に隣接する孤立データ線１２Ｂ１のみである。他の対駆動データ線も同じことが当てはまることは、当業者には自明的であろう。
【０１８８】
更に、孤立データ線であるデータ線１２については、それに隣接するデータ線１２との間の容量カップリングの影響をほとんど受けない。なぜなら、上述のように、孤立データ線であるデータ線１２の画素１３は、それに隣接する２本のデータ線１２の画素１３のいずれよりも後に駆動されるからである；孤立データ線であるデータ線１２の画素１３に書き込み電圧が生成された後、隣接する２本のデータ線１２にデータ信号が供給されてその電位が変化することはない。
【０１８９】
例えば、データ線１２Ｂ１は、データ線１２Ｒ１、１２Ｇ１の対と、データ線１２Ｒ２、１２Ｇ２の対の間に位置する孤立データ線である。データ線１２Ｂ１に隣接するデータ線（即ち、データ線１２Ｇ１、１２Ｒ２）は、いずれもデータ線１２Ｂ１よりも先に駆動されるため、データ線１２Ｂ１に接続されている画素１３Ｂ１は、隣接するデータ線１２による容量カップリングの影響をほとんど受けない。
【０１９０】
このように、上述された動作によれば、データ線１２の間の容量カップリングによる画素１３に保持されている書き込み電圧の変動を有効に抑制できる。
【０１９１】
第３〜第６の実施形態と同様に、本実施形態においてもある周期でデータ信号の極性及び書き込み順番が変更されることが画質の向上のために好適である。詳細には、図４２に示されているように、各画素１３に書き込まれるデータ信号の極性が各フレームで反転され、画素１３の書き込み順番が、２フレーム毎に変更される。
【０１９２】
より具体的には、第１フレームでは、上述された手順で画素１３が駆動され、第２フレームでは、各画素１３のデータ信号の極性が反転されて画素１３が駆動される。
【０１９３】
第３フレームでは、各画素１３のデータ信号の極性が再度に反転される（即ち、各画素１３が、第１フレームと同一の極性のデータ信号で駆動される）と共に、画素１３の書き込み順番が変更される。
【０１９４】
詳細には、図４２に示されているように、第３フレームの奇数水平期間においてＬＣＤドライバ２Ｂは奇数出力端子Ｓｏｕｒｃｅ１、３、・・・から（第１ラインに位置する）Ｒ画素１３Ｒ３、Ｇ画素１３Ｇ４、Ｒ画素１３Ｒ１、Ｇ画素１３Ｇ２、Ｂ画素１３Ｂ３、Ｂ画素１３Ｂ１に供給される正極性のデータ信号をこの順で順次に出力する。一方、偶数出力端子Ｓｏｕｒｃｅ２、４、・・・については、ＬＣＤドライバ２Ｂは、Ｇ画素１３Ｇ３、Ｒ画素１３Ｒ４、Ｇ画素１３Ｇ１、Ｒ画素１３Ｒ２、Ｂ画素１３Ｂ４、Ｂ画素１３Ｂ２に供給される負極性のデータ信号をこの順で順次に出力する。第３フレームの偶数水平期間では、データ信号の極性を反転した上で同じ書き込み順番で画素１３へのデータ信号の書き込みを行う。
【０１９５】
第４フレームでは、各画素１３のデータ信号の極性が再度に反転された上で、第３フレームと同一の書き込み順番で各画素１３へのデータ信号の書き込みが行われる。以降のフレームでは、第１〜第４フレームの動作が繰り返して行われる。
【０１９６】
このように、本実施形態においても、４フレーム周期でデータ信号の極性及び書き込み順番が変更されることによって画質を向上することができる。
【０１９７】
以上、本発明の実施形態が詳細に説明されているが、本発明は、上述の実施形態に限定して解釈されてはならない。
【０１９８】
例えば、上記にはデータ信号の書き込み順番がフレーム毎に変更される実施形態が開示されている。しかしながら、データ信号の書き込み順番は、ライン毎に、且つ、フレーム毎にされることも可能である。例えば、奇数ライン（すなわち、奇数水平期間）におけるデータ信号の書き込み順番と、偶数ライン（すなわち、奇数水平期間）におけるデータ信号の書き込み順番とが切り替えられることも可能である。ライン毎にデータ信号の書き込み順番を切り替えることは、書き込み電圧が不所望に変動する画素１３を時間的、空間的に分散させ、縦筋ムラを抑制するために有効である。
【０１９９】
また、本実施形態では、ドット反転駆動を行う実施形態が開示されているが、本発明は、水平方向に隣接する画素に書き込まれるデータ信号の極性が逆である駆動方法に適応可能であり、垂直方向に隣接する画素の極性は限定されない。本発明は、例えば、２Ｈドット反転、Ｖライン反転のように、垂直方向に隣接する画素に書き込まれるデータ信号の極性が同一である駆動方法にも採用可能である。
【図面の簡単な説明】
【０２００】
【図１Ａ】図１Ａは、従来の液晶表示装置の構成を示す図である。
【図１Ｂ】図１Ｂは、ＬＣＤパネルの画素の構成を示す回路図である。
【図２】図２は、ドット反転駆動において各画素に書き込まれるデータ信号の極性を示す図である。
【図３】図３は、従来の液晶表示装置における画素の書き込み順番、及び各画素に書き込まれるデータ信号の極性を示す図である。
【図４】図４は、従来の液晶表示装置の動作を示すタイミングチャートである。
【図５】図５は、従来の液晶表示装置において、ＬＣＤドライバの各出力端子から出力されたデータ信号が書き込まれる画素、及びそのデータ信号の極性を示す図である。
【図６】図６は、本発明の第１の実施形態に係る液晶表示装置の構成を示す図である。
【図７】図７は、第１の実施形態におけるＬＣＤドライバの構成を示すブロック図である。
【図８】図８は、第１の実施形態において、ＬＣＤドライバの各出力端子から出力されたデータ信号が書き込まれる画素、及びそのデータ信号の極性を示す図である。
【図９】図９は、第１の実施形態における画素の書き込み順番、及び各画素に書き込まれるデータ信号の極性を示す図である。
【図１０】図１０は、第１の実施形態に係る液晶表示装置の動作を示すタイミングチャートである。
【図１１】図１１は、第１の実施形態の好適な変形例における、ＬＣＤドライバの各出力端子から出力されるデータ信号が書き込まれるべき画素、及びそのデータ信号の極性を示す図である。
【図１２】図１２は、第１の実施形態の好適な変形例における、液晶表示装置の動作を示すタイミングチャートである。
【図１３】図１３は、第２の実施形態に係る液晶表示装置の構成を示す図である。
【図１４】図１４は、第２の実施形態におけるＬＣＤドライバの構成を示すブロック図である。
【図１５】図１５は、第２の実施形態において、ＬＣＤドライバの各出力端子から出力されたデータ信号が書き込まれる画素、及びそのデータ信号の極性を示す図である。
【図１６】図１６は、第２の実施形態に係る液晶表示装置の動作を示すタイミングチャートである。
【図１７】図１７は、第２の実施形態における画素の書き込み順番、及び各画素に書き込まれるデータ信号の極性を示す図である。
【図１８】図１８は、第３の実施形態に係る液晶表示装置の構成を示す図である。
【図１９】図１９は、第３の実施形態におけるＬＣＤドライバの構成を示すブロック図である。
【図２０】図２０は、第３の実施形態において、ＬＣＤドライバの各出力端子から出力されたデータ信号が書き込まれる画素、及びそのデータ信号の極性を示す図である。
【図２１Ａ】図２１Ａは、第３の実施形態に係る液晶表示装置の第１フレームにおける動作を示すタイミングチャートである。
【図２１Ｂ】図２１Ｂは、第３の実施形態に係る液晶表示装置の第３フレームにおける動作を示すタイミングチャートである。
【図２２Ａ】図２２Ａは、第３の実施形態における第１ラインの画素の書き込み順番、及び各画素に書き込まれるデータ信号の極性を示す図である。
【図２２Ｂ】図２２Ｂは、第３の実施形態における第２ラインの画素の書き込み順番、及び各画素に書き込まれるデータ信号の極性を示す図である。
【図２３】図２３は、第３の実施形態における、第１乃至第４フレームにおける第１ラインの画素の書き込み順番、及び各画素に書き込まれるデータ信号の極性を示す図である。
【図２４】図２４は、第４の実施形態において、ＬＣＤドライバの各出力端子から出力されたデータ信号が書き込まれる画素、及びそのデータ信号の極性を示す図である。
【図２５Ａ】図２５Ａは、第４の実施形態における、液晶表示装置の第１フレームにおける動作を示すタイミングチャートである。
【図２５Ｂ】図２５Ｂは、第４の実施形態における、液晶表示装置の第３フレームにおける動作を示すタイミングチャートである。
【図２６Ａ】図２６Ａは、第４の実施形態における、第１ラインの画素の書き込み順番、及び各画素に書き込まれるデータ信号の極性を示す図である。
【図２６Ｂ】図２６Ｂは、第４の実施形態における、第２ラインの画素の書き込み順番、及び各画素に書き込まれるデータ信号の極性を示す図である。
【図２７】図２７は、第４の実施形態の好適な変形例における、第１乃至第４フレームにおける第１ラインの画素の書き込み順番、及び各画素に書き込まれるデータ信号の極性を示す図である。
【図２８】図２８は、第５の実施形態における液晶表示装置の構成を示す図である。
【図２９】図２９は、第５の実施形態において、ＬＣＤドライバの各出力端子から出力されたデータ信号が書き込まれる画素、及びそのデータ信号の極性を示す図である。
【図３０Ａ】図３０Ａは、第５の実施形態における、第１ラインの画素の書き込み順番、及び各画素に書き込まれるデータ信号の極性を示す図である。
【図３０Ｂ】図３０Ｂは、第５の実施形態における、第２ラインの画素の書き込み順番、及び各画素に書き込まれるデータ信号の極性を示す図である。
【図３１】図３１は、第５の実施形態における、第１乃至第４フレームにおける第１ラインの画素の書き込み順番、及び各画素に書き込まれるデータ信号の極性を示す図である。
【図３２】図３２は、第５の実施形態の好適な変形例において、ＬＣＤドライバの各出力端子から出力されたデータ信号が書き込まれる画素、及びそのデータ信号の極性を示す図である。
【図３３Ａ】図３３Ａは、第５の実施形態の好適な変形例における、液晶表示装置の第１フレームにおける動作を示すタイミングチャートである。
【図３３Ｂ】図３３Ｂは、第５の実施形態の好適な変形例における、液晶表示装置の第１フレームにおける動作を示すタイミングチャートである。
【図３３Ｃ】図３３Ｃは、第５の実施形態の好適な変形例における、液晶表示装置の第３フレームにおける動作を示すタイミングチャートである。
【図３３Ｄ】図３３Ｄは、第５の実施形態の好適な変形例における、液晶表示装置の第３フレームにおける動作を示すタイミングチャートである。
【図３４】図３４は、第６の実施形態における液晶表示装置の構成を示す図である。
【図３５Ａ】図３５Ａは、離れたデータ線を同時に駆動することによってコモン電極１６に流れる電流の経路を説明する図である。
【図３５Ｂ】図３５Ｂは、隣接するデータ線を同時に駆動することによってコモン電極１６に流れる電流の経路を説明する図である。
【図３６】図３６は、第６の実施形態において、ＬＣＤドライバの各出力端子から出力されたデータ信号が書き込まれる画素、及びそのデータ信号の極性を示す図である。
【図３７Ａ】図３７Ａは、第６の実施形態における、第１ラインの画素の書き込み順番、及び各画素に書き込まれるデータ信号の極性を示す図である。
【図３７Ｂ】図３７Ｂは、第６の実施形態における、第２ラインの画素の書き込み順番、及び各画素に書き込まれるデータ信号の極性を示す図である。
【図３８】図３８は、第６の実施形態における、第１乃至第４フレームにおける第１ラインの画素の書き込み順番、及び各画素に書き込まれるデータ信号の極性を示す図である。
【図３９】図３９は、第７の実施形態における液晶表示装置の構成を示す図である。
【図４０】図４０は、第７の実施形態において、ＬＣＤドライバの各出力端子から出力されたデータ信号が書き込まれる画素、及びそのデータ信号の極性を示す図である。
【図４１Ａ】図４１Ａは、第７の実施形態における、第１ラインの画素の書き込み順番、及び各画素に書き込まれるデータ信号の極性を示す図である。
【図４１Ｂ】図４１Ｂは、第７の実施形態における、第２ラインの画素の書き込み順番、及び各画素に書き込まれるデータ信号の極性を示す図である。
【図４２】図４２は、第７の実施形態における、第１乃至第４フレームにおける第１ラインの画素の書き込み順番、及び各画素に書き込まれるデータ信号の極性を示す図である。
【図４３Ａ】図４３Ａは、第７の実施形態において各データ線が隣接するデータ線から受ける容量カップリングの影響を示す図である。
【図４３Ｂ】図４３Ｂは、第７の実施形態において各データ線が隣接するデータ線から受ける容量カップリングの影響を示す図である。
【図４３Ｃ】図４３Ｃは、第７の実施形態において各データ線が隣接するデータ線から受ける容量カップリングの影響を示す図である。
【図４３Ｄ】図４３Ｄは、第７の実施形態において各データ線が隣接するデータ線から受ける容量カップリングの影響を示す図である。
【符号の説明】
【０２０１】
１、１Ａ、１Ｂ、１Ｃ、１Ｄ、１Ｅ：ＬＣＤパネル
２、２Ａ、２Ｂ：ＬＣＤドライバ
１１：ゲート線
１２：データ線
１３：画素
１６：コモン電極
１７：入力ノード
１８：配線
１９：スイッチ（ストレートスイッチ）
２０：クロススイッチ
２１：データ制御回路
２２：階調生成回路
２３：正極性ドライバ部
２４：負極性ドライバ部
２５：極性切り替えスイッチ群
２６：セレクタ制御回路
２７：極性切り替えスイッチ制御回路
２８：ＲＧＢスイッチ制御回路
２９：タイミングコントロール回路
【図１Ａ】
2007140296.tif 000003
【図１Ｂ】
2007140296.tif 000004
【図２】
2007140296.tif 000005
【図３】
2007140296.tif 000006
【図４】
2007140296.tif 000007
【図５】
2007140296.tif 000008
【図６】
2007140296.tif 000009
【図７】
2007140296.tif 000010
【図８】
2007140296.tif 000011
【図９】
2007140296.tif 000012
【図１０】
2007140296.tif 000013
【図１１】
2007140296.tif 000014
【図１２】
2007140296.tif 000015
【図１３】
2007140296.tif 000016
【図１４】
2007140296.tif 000017
【図１５】
2007140296.tif 000018
【図１６】
2007140296.tif 000019
【図１７】
2007140296.tif 000020
【図１８】
2007140296.tif 000021
【図１９】
2007140296.tif 000022
【図２０】
2007140296.tif 000023
【図２１Ａ】
2007140296.tif 000024
【図２１Ｂ】
2007140296.tif 000025
【図２２Ａ】
2007140296.tif 000026
【図２２Ｂ】
2007140296.tif 000027
【図２３】
2007140296.tif 000028
【図２４】
2007140296.tif 000029
【図２５Ａ】
2007140296.tif 000030
【図２５Ｂ】
2007140296.tif 000031
【図２６Ａ】
2007140296.tif 000032
【図２６Ｂ】
2007140296.tif 000033
【図２７】
2007140296.tif 000034
【図２８】
2007140296.tif 000035
【図２９】
2007140296.tif 000036
【図３０Ａ】
2007140296.tif 000037
【図３０Ｂ】
2007140296.tif 000038
【図３１】
2007140296.tif 000039
【図３２】
2007140296.tif 000040
【図３３Ａ】
2007140296.tif 000041
【図３３Ｂ】
2007140296.tif 000042
【図３３Ｃ】
2007140296.tif 000043
【図３３Ｄ】
2007140296.tif 000044
【図３４】
2007140296.tif 000045
【図３５Ａ】
2007140296.tif 000046
【図３５Ｂ】
2007140296.tif 000047
【図３６】
2007140296.tif 000048
【図３７Ａ】
2007140296.tif 000049
【図３７Ｂ】
2007140296.tif 000050
【図３８】
2007140296.tif 000051
【図３９】
2007140296.tif 000052
【図４０】
2007140296.tif 000053
【図４１Ａ】
2007140296.tif 000054
【図４１Ｂ】
2007140296.tif 000055
【図４２】
2007140296.tif 000056
【図４３Ａ】
2007140296.tif 000057
【図４３Ｂ】
2007140296.tif 000058
【図４３Ｃ】
2007140296.tif 000059
【図４３Ｄ】
2007140296.tif 000060